(57)【要約】【課題】複数の通信パラメータセットを混在させて通信する通信システムにおいて、リソースの非直交性に起因して発生し得る干渉への耐性を高める仕組みを提供する。【解決手段】単位リソースにおいて複数の通信パラメータセットを用いて通信する送信装置であって、データ信号と参照信号とで異なる前記通信パラメータセットを用いて生成した前記データ信号及び前記参照信号を受信装置へ送信する処理部、を備える送信装置。【選択図】図１
2018196029.tif 000002
【特許請求の範囲】
【請求項１】
単位リソースにおいて複数の通信パラメータセットを用いて通信する送信装置であって、
データ信号と参照信号とで異なる前記通信パラメータセットを用いて生成した前記データ信号及び前記参照信号を受信装置へ送信する処理部、
を備える送信装置。
【請求項２】
前記通信パラメータセットは、プリコーディング、フィルタリング、オーバーサンプリング、波形、リソース設定又は送信電力の少なくともいずれかに関する通信パラメータを含む、請求項１に記載の送信装置。
【請求項３】
前記処理部は、前記データ信号と前記参照信号とで異なる方式のフィルタを用いる、又は同一の方式のフィルタで異なるフィルタ係数を用いる、請求項２に記載の送信装置。
【請求項４】
前記処理部は、前記データ信号に帯域制限フィルタを適用し前記参照信号に送信側干渉除去フィルタを適用する、請求項３に記載の送信装置。
【請求項５】
前記処理部は、前記データ信号へのフィルタリングを行い前記参照信号へのフィルタリングを省略する、請求項３に記載の送信装置。
【請求項６】
前記処理部は、前記データ信号へのオーバーサンプリングを行い前記参照信号へのオーバーサンプリングを省略する、請求項５に記載の送信装置。
【請求項７】
前記処理部は、前記データ信号に非直交波形を用い前記参照信号に直交波形を用いる、請求項２に記載の送信装置。
【請求項８】
前記処理部は、前記データ信号と前記参照信号とでサブキャリア間隔又はシンボル長の少なくともいずれかを異ならせる、請求項２に記載の送信装置。
【請求項９】
前記処理部は、前記データ信号と前記参照信号とで送信電力を異ならせる、請求項２に記載の送信装置。
【請求項１０】
前記処理部は、データ信号及び参照信号の各々に用いられる前記通信パラメータセットを示す情報を前記受信装置に通知する、請求項１に記載の送信装置。
【請求項１１】
前記単位リソースにおけるリソース設定が異なる第１のリソース及び第２のリソースにおいて、前記第１のリソースに配置される参照信号の周波数間隔と前記第２のリソースに配置される参照信号の周波数間隔との比が、前記第１のリソースと前記第２のリソースとのサブキャリア間隔の比に比例又はほぼ比例する、請求項１に記載の送信装置。
【請求項１２】
前記単位リソースにおけるリソース設定が異なる第１のリソース及び第２のリソースにおいて、前記第１のリソースに配置される参照信号の時間間隔と前記第２のリソースに配置される参照信号の時間間隔との比が、前記第１のリソースと前記第２のリソースとのシンボル長の比に比例又はほぼ比例する、請求項１に記載の送信装置。
【請求項１３】
前記単位リソースにおけるリソース設定が異なる第１のリソース及び第２のリソースにおいて、前記第１のリソースに配置される参照信号の時間間隔と前記第２のリソースに配置される参照信号の時間間隔との比が、前記第１のリソースと前記第２のリソースとのサブキャリア間隔の比に反比例又はほぼ反比例する、請求項１に記載の送信装置。
【請求項１４】
前記単位リソースにおけるリソース設定が異なる第１のリソース及び第２のリソースにおいて、前記第１のリソースに配置される参照信号の周波数間隔及び時間間隔と前記第２のリソースに配置される参照信号の周波数間隔及び時間間隔とが同一又は略同一である、請求項１に記載の送信装置。
【請求項１５】
前記処理部は、前記参照信号の配置を示す情報を前記受信装置に通知する、請求項１１に記載の送信装置。
【請求項１６】
単位リソースにおいて複数の通信パラメータセットを用いて通信する受信装置であって、
データ信号と参照信号とで異なる前記通信パラメータセットを用いて生成された前記データ信号及び前記参照信号の受信処理を行う処理部、
を備える受信装置。
【請求項１７】
単位リソースにおいて複数の通信パラメータセットを用いて通信する送信装置により実行される方法であって、
データ信号と参照信号とで異なる前記通信パラメータセットを用いて生成した前記データ信号及び前記参照信号を受信装置へ送信すること、
を含む方法。
【請求項１８】
単位リソースにおいて複数の通信パラメータセットを用いて通信する受信装置により実行される方法であって、
データ信号と参照信号とで異なる前記通信パラメータセットを用いて生成された前記データ信号及び前記参照信号の受信処理を行うこと、
を含む方法。
【請求項１９】
コンピュータを、
単位リソースにおいて複数の通信パラメータセットを用いて通信させ、
データ信号と参照信号とで異なる前記通信パラメータセットを用いて生成した前記データ信号及び前記参照信号を受信装置へ送信する処理部、
として機能させるためのプログラムを記録した記録媒体。
【請求項２０】
コンピュータを、
単位リソースにおいて複数の通信パラメータセットを用いて通信させ、
データ信号と参照信号とで異なる前記通信パラメータセットを用いて生成された前記データ信号及び前記参照信号の受信処理を行う処理部、
として機能させるためのプログラムを記録した記録媒体。
【発明の詳細な説明】
【技術分野】
【０００１】
本開示は、送信装置、受信装置、方法及び記録媒体に関する。
【背景技術】
【０００２】
近年、マルチキャリア変調技術（即ち、多重技術又はマルチアクセス技術）の代表として、ＯＦＤＭ（Orthogonal  Frequency  Division  Multiplexing：直交周波数分割多重)、及びＯＦＤＭＡ（Orthogonal  Frequency  Division  Multiple  Access：直交周波数分割多元接続)が、多様な無線システムで実用化されている。実用例としては、ディジタル放送、無線ＬＡＮ、及びセルラーシステムが挙げられる。ＯＦＤＭは、マルチパス伝搬路に対する耐性があり、ＣＰ（Cyclic  Prefix：サイクリックプリフィックス）を採用することで、マルチパス遅延波に起因するシンボル間干渉の発生を回避することが可能である。一方で、ＯＦＤＭの欠点として、帯域外輻射のレベルが大きい点が挙げられる。また、ＰＡＰＲ（Peak-to-Average  Power  Ratio：ピーク対平均電力比）が高くなる傾向があり、送受信装置で発生する歪に弱いことも、欠点として挙げられる。
【０００３】
このようなＯＦＤＭの欠点であるＰＡＰＲを低減し、且つ、マルチパス伝搬路への耐性を持たせる方法として、ＳＣ（Single-Carrier：シングルキャリア）変調とＦＤＥ（Frequency  Domain  Equalization：周波数領域等化）とを組み合わせたＳＣ−ＦＤＥの採用が挙げられる。ＳＣ−ＦＤＥは、ＳＣ−ＦＤＭＡ（Single  Carrier.  Frequency  Division  Multiple  Access）又はＤＦＴ−Ｓ−ＯＦＤＭＡ（Discrete  Fourier  Transform）−Spread  OFDMA）とも称される場合がある。
【０００４】
他に、ＯＦＤＭの欠点である帯域外輻射を抑制可能な、新たな変調技術が登場している。本変調技術は、ＯＦＤＭにおけるＳ／Ｐ（Serial-to-Parallel）変換後のシンボルに対して、パルス整形フィルタ（Pulse  Shape  Filter）を適用することで、帯域外輻射の抑制を図るものである。フィルタリングの対象は、帯域全体、所定の数のサブキャリア単位（例えば、ＬＴＥにおけるリソースブロック単位等)、サブキャリアごと、などが考えられる。本変調技術の呼び名については、ＵＦ−ＯＦＤＭ（Universal  Filtered-OFDM）、ＵＦＭＣ（Universal  Filtered  Multi-Carrier）、ＦＢＭＣ（Filter  Bank  Multi-Carrier）、ＧＯＦＤＭ（Generalized  OFDM）、ＧＦＤＭ（Generalized  Frequency  Division  Multiplexing）など、多様に存在する。本明細書では、本変調技術をＧＦＤＭと称するが、もちろんその呼称は狭義の意味を持たない。
【０００５】
ＧＦＤＭに関する技術の一例として、例えば下記特許文献１では、ＧＦＤＭに対応する端末とＧＦＤＭに非対応なレガシ端末を収容可能にするために、複数の通信パラメータセットを混在させて通信する通信システムに関する技術が開示されている。具体的には、複数のサブキャリア間隔及び複数のサブシンボル長を混在させることが可能な通信システムに関する技術が開示されている。
【先行技術文献】
【特許文献】
【０００６】
【特許文献１】国際公開第２０１７／０５６７９６号
【発明の概要】
【発明が解決しようとする課題】
【０００７】
ＧＦＤＭのように、サブキャリア間隔及びシンボル長等を含む通信パラメータセットを複数混在させて用いる通信システムにおいては、リソースの直交性が失われる場合がある。そのようなリソースを用いて送信される信号間では干渉が発生し得る。しかしながら、上記特許文献に記載の技術では、このような干渉への対策が不足していた。
【０００８】
そこで、本開示では、複数の通信パラメータセットを混在させて通信する通信システムにおいて、リソースの非直交性に起因して発生し得る干渉への耐性を高める仕組みを提供する。
【課題を解決するための手段】
【０００９】
本開示によれば、単位リソースにおいて複数の通信パラメータセットを用いて通信する送信装置であって、データ信号と参照信号とで異なる前記通信パラメータセットを用いて生成した前記データ信号及び前記参照信号を受信装置へ送信する処理部、を備える送信装置が提供される。
【００１０】
また、本開示によれば、単位リソースにおいて複数の通信パラメータセットを用いて通信する受信装置であって、データ信号と参照信号とで異なる前記通信パラメータセットを用いて生成された前記データ信号及び前記参照信号の受信処理を行う処理部、を備える受信装置が提供される。
【００１１】
また、本開示によれば、単位リソースにおいて複数の通信パラメータセットを用いて通信する送信装置により実行される方法であって、データ信号と参照信号とで異なる前記通信パラメータセットを用いて生成した前記データ信号及び前記参照信号を受信装置へ送信すること、を含む方法が提供される。
【００１２】
また、本開示によれば、単位リソースにおいて複数の通信パラメータセットを用いて通信する受信装置により実行される方法であって、データ信号と参照信号とで異なる前記通信パラメータセットを用いて生成された前記データ信号及び前記参照信号の受信処理を行うこと、を含む方法が提供される。
【００１３】
また、本開示によれば、コンピュータを、単位リソースにおいて複数の通信パラメータセットを用いて通信させ、データ信号と参照信号とで異なる前記通信パラメータセットを用いて生成した前記データ信号及び前記参照信号を受信装置へ送信する処理部、として機能させるためのプログラムを記録した記録媒体が提供される。
【００１４】
また、本開示によれば、コンピュータを、単位リソースにおいて複数の通信パラメータセットを用いて通信させ、データ信号と参照信号とで異なる前記通信パラメータセットを用いて生成された前記データ信号及び前記参照信号の受信処理を行う処理部、として機能させるためのプログラムを記録した記録媒体が提供される。
【発明の効果】
【００１５】
以上説明したように本開示によれば、複数の通信パラメータセットを混在させて通信する通信システムにおいて、リソースの非直交性に起因して発生し得る干渉への耐性を高める仕組みが提供される。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１６】
【図１】ＧＦＤＭをサポートする送信装置の構成の一例を説明するための説明図である。
【図２】ＯＦＤＭをサポートする送信装置の構成の一例を説明するための説明図である。
【図３】ＳＣ−ＦＤＥをサポートする送信装置の構成の一例を説明するための説明図である。
【図４】本開示の一実施形態に係るシステムの概略的な構成の一例を示す説明図である。
【図５】本開示の一実施形態に係る基地局の構成の一例を示すブロック図である。
【図６】本開示の一実施形態に係る端末装置の構成の一例を示すブロック図である。
【図７】本実施形態に係るＧＦＤＭにおける周波数リソース及び時間リソースの構成の一例を説明するための説明図である。
【図８】本実施形態に係るＧＦＤＭをサポートする第１の送信装置の構成の一例を説明するための説明図である。
【図９】本実施形態に係るＧＦＤＭをサポートする第１の送信装置の構成の一例を説明するための説明図である。
【図１０】本実施形態に係るＧＦＤＭをサポートする第１の送信装置の構成の一例を説明するための説明図である。
【図１１】本実施形態に係るＧＦＤＭをサポートする第１の送信装置の構成の一例を説明するための説明図である。
【図１２】本実施形態に係るＧＦＤＭをサポートする第２の送信装置の構成の一例を説明するための説明図である。
【図１３】本実施形態に係るＧＦＤＭをサポートする第２の送信装置の構成の一例を説明するための説明図である。
【図１４】本実施形態に係るリソース構成の一例を示す図である。
【図１５】本実施形態に係る参照信号の第１の配置例を示す図である。
【図１６】本実施形態に係る参照信号の第２の配置例を示す図である。
【図１７】本実施形態に係る参照信号の第３の配置例を示す図である。
【図１８】本実施形態に係る参照信号の第４の配置例を示す図である。
【図１９】本実施形態に係る参照信号の第５の配置例を示す図である。
【図２０】本実施形態に係る参照信号の第６の配置例を示す図である。
【図２１】本実施形態に係る参照信号の第７の配置例を示す図である。
【図２２】本実施形態に係るシステムにおいて実行される通信処理の流れの一例を示すシーケンス図である。
【図２３】本実施形態に係るシステムにおいて実行される通信処理の流れの一例を示すシーケンス図である。
【図２４】本実施形態に係るシステムにおいて実行される通信処理の流れの一例を示すシーケンス図である。
【図２５】シミュレーション結果を示す図である。
【図２６】シミュレーション結果を示す図である。
【図２７】シミュレーション結果を示す図である。
【図２８】シミュレーション結果を示す図である。
【図２９】ｅＮＢの概略的な構成の第１の例を示すブロック図である。
【図３０】ｅＮＢの概略的な構成の第２の例を示すブロック図である。
【図３１】スマートフォンの概略的な構成の一例を示すブロック図である。
【図３２】カーナビゲーション装置の概略的な構成の一例を示すブロック図である。
【発明を実施するための形態】
【００１７】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１８】
また、本明細書及び図面において、実質的に同一の機能構成を有する要素を、同一の符号の後に異なるアルファベットを付して区別する場合もある。例えば、実質的に同一の機能構成を有する複数の要素を、必要に応じて端末装置２００Ａ、２００Ｂ及び２００Ｃのように区別する。ただし、実質的に同一の機能構成を有する複数の要素の各々を特に区別する必要がない場合、同一符号のみを付する。例えば、端末装置２００Ａ、２００Ｂ及び２００Ｃを特に区別する必要が無い場合には、単に端末装置２００と称する。
【００１９】
なお、説明は以下の順序で行うものとする。
１．はじめに
１．１．波形変調方式
１．２．物理層パラメータ
１．３．技術的課題
２．構成例
２．１．全体構成
２．２．基地局の構成
２．３．端末装置の構成
３．技術的特徴
３．１．ＧＦＤＭ
３．２．通信パラメータセットの混在
３．３．送信信号処理の制御
３．４．参照信号の配置
３．５．設定情報の通知
３．６．処理の流れ
４．シミュレーション結果
５．応用例
６．まとめ
【００２０】
＜＜１．はじめに＞＞
以下、本開示の一実施形態に関連する技術について説明する。
【００２１】
＜１．１．波形変調方式＞
以下、波形変調方式の一例として、ＧＦＤＭ、ＯＦＤＭ及びＳＣ−ＦＤＥについて説明する。
【００２２】
（ＧＦＤＭ）
図１は、ＧＦＤＭをサポートする送信装置の構成の一例を説明するための説明図である。図１を参照すると、上位層からのビット列（例えば、トランスポートブロック）が処理されて、ＲＦ（radio  frequency）信号が出力される。ビット列について、図１に示されるように、ＦＥＣ（Forward  Error  Correction）符号化、レートマッチング、スクランブリング、インタリービング及びビット列からシンボル（例えば、複素シンボルであってもよく、信号点とも称され得る）へのマッピング（Bit-to-Complex  Constellation  Mapping）が行われ、その後変調が行われる。ビット列からシンボルへのマッピングでは、ＢＰＳＫ、ＱＰＳＫ、８ＰＳＫ、１６ＱＡＭ、６４ＱＡＭ、又は２５６ＱＡＭ等の多様なコンスタレーションが用いられ得る。変調においては、まずＳ／Ｐ変換が行われ、分割された複数の信号の各々に対して、リソースエレメントマッピング、オーバーサンプリング、及びパルス整形が行われ、その後行われる周波数から時間への変換（例えば、ＩＤＦＴ（Inverse  Discrete  Fourier  Transform）又はＩＦＦＴ（Inverse  Fast  Fourier  Transform））により一つの時間領域の信号（即ち、時間波形）に合成される。変調の後、ＣＰ（Cyclic  Prefix）付加、並びにアナログ処理及びＲＦ処理が行われる。
【００２３】
ＧＦＤＭでは、所定の単位でフィルタリング（即ち、パルス整形）を施すために、サブキャリア上のシンボルに対してオーバーサンプリングが実施される。そして、オーバーサンプリング後のシンボルに対して、フィルタリングが実施される。周波数から時間への変換は、このフィルタリング後のシンボルに対して実施されることとなる。ＧＦＤＭは、フィルタリングにより、ＯＦＤＭの欠点であった帯域外輻射を抑制することが可能である。また、ＧＦＤＭは、ＭＩＭＯ（multiple-input  and  multiple-output）等と組み合わされた場合でも、受信装置側がすべての処理を周波数領域で行うことを可能にする。ただし、フィルタリングの影響によって、エレメントごとにシンボル間干渉が発生するために、干渉キャンセラが受信装置側で用いられる。この点、ＯＦＤＭ及びＳＣ−ＦＤＥでは、シンプルなＦＤＥにより干渉の抑制が実現されていた。
【００２４】
このように、ＧＦＤＭは、帯域外輻射の欠点を克服する代償として、受信装置が複雑化する問題がある。ＭＴＣ（Machine  Type  Communication）装置及びＩｏＴ（Internet  of  Things）装置等の、低コスト及び低消費電力での通信が望ましい装置に関しては、このような問題は致命的になり兼ねない。
【００２５】
（ＯＦＤＭ）
図２は、ＯＦＤＭをサポートする送信装置の構成の一例を説明するための説明図である。図２を参照すると、図１を参照して説明したＧＦＤＭをサポートする送信装置とは、破線で囲った変調部分について相違する。本相違点について説明すると、まずＳ／Ｐ変換が行われ、分割された複数の信号の各々に対してリソースエレメントマッピングが行われる。これにより、シンボルが所定のサブキャリアへと配置される。そして、所定数のサブキャリアに対して周波数から時間への変換（例えば、ＩＤＦＴ又はＩＦＦＴ）が行われることで、一つの時間領域の信号に合成される。
【００２６】
上述したように、ＯＦＤＭは、マルチパス伝搬路に対する耐性があり、マルチパス遅延波に起因するシンボル間干渉の発生を回避することが可能である。一方で、ＯＦＤＭの欠点として、帯域外輻射のレベルが大きい点が挙げられる。また、ＰＡＰＲが高くなる傾向があり、送受信装置で発生する歪に弱いことも、欠点として挙げられる。
【００２７】
（ＳＣ−ＦＤＥ）
図３は、ＳＣ−ＦＤＥをサポートする送信装置の構成の一例を説明するための説明図である。図３を参照すると、図１を参照して説明したＧＦＤＭをサポートする送信装置とは、破線で囲った変調部分について相違する。本相違点について説明すると、まず、時間から周波数への変換（例えば、ＤＦＴ（Discrete  Fourier  Transform）又はＦＦＴ（Inverse  Fast  Fourier  Transform））が実施される。その後、周波数領域でのリソースエレメントマッピングが行われ、周波数から時間への変換により一つの時間領域の信号に合成される。その後、ＣＰが付加されるので、受信装置は、ＦＤＥを実施することが容易になる。
【００２８】
上述したように、ＳＣ−ＦＤＥは、ＰＡＰＲを低減しつつ、マルチパス伝搬路にも耐性を持たせることができる。その一方で、ＳＣ−ＦＤＥは、ＭＩＭＯと組み合わされた場合に、受信装置側での復号処理が複雑になる（例えば、ターボ等化、及び繰り返し干渉除去を行う）などの欠点もある。
【００２９】
＜１．２．物理層パラメータ＞
通信システムでは、波形（Waveform）に関連する物理層パラメータ（Numerologyとも称される）が複数存在する。そのような物理層パラメータとしては、サブキャリア間隔(Subcarrier  Spacing(SCS))、シンボル長(Symbol  Length)、フレーム長(Frame  Length、Transmission  Time  Interval  (TTI))、スロット長(Slot  Length)、サイクリックプリフィックス長(Cyclic  Prefix  (CP)  Length、Guard  Interval  (GI)  Length)、などが挙げられる。
【００３０】
４Ｇ以前では、これらのパラメータの値として、基本的には一つのデフォルト値が定められており、オプションとして別の値が一あるいは複数定められていた。
【００３１】
一方、５Ｇ以降の通信システムでは、要求条件の異なる複数のユースケースをシステムに収容することが要求される。そのようなユースケースとしては、ｅＭＢＢ（Enhanced  mobile  broadband）、ｍＭＴＣ（Massive  machine  type  communications）およびＵＲＬＬＣ（Ultra  reliable  and  low  latency  communications）等が挙げられる。上記特許文献１では、このような要求を鑑みて、複数のサブキャリア間隔及び複数のサブシンボル長の値を一の周波数チャネルおよび時間リソース内で同時に収容・サポートすることを可能にする技術が開示されている。かかる技術によれば、多様な通信品質（スループット、遅延、移動耐性等)を有するデータサービスを、同時に複数収容可能なＧＦＤＭシステムの構築が可能となる。例えば、一般的なデータダウンロードサービス、ストリーミングサービスに加えて、ＩｏＴ及びＭ２Ｍのような通信を同時にサポートすることが可能となる。
【００３２】
＜１．３．技術的課題＞
複数の波形及び複数の物理層パラメータの値を、一のリソース内で同時に収容・サポートにすることが可能な通信システムでは、受信処理におけるチャネル推定の精度が、干渉によって劣化し得る。受信処理におけるチャネル推定精度の劣化は、推定後に受信信号を復調・復号するときの精度劣化を引き起こす。そこで、本開示では、複数の波形及び複数の物理層パラメータの値を、一のリソース内で同時に収容・サポートにする通信システムにおける、干渉耐性が高い参照信号の生成処理及びチャネル推定処理を提案する。
【００３３】
＜＜２．構成例＞＞
＜２．１．全体構成＞
続いて、図４を参照して、本開示の一実施形態に係るシステム１の概略的な構成を説明する。図４は、本開示の一実施形態に係るシステム１の概略的な構成の一例を示す説明図である。図４を参照すると、システム１は、基地局１００及び端末装置２００を含む。ここでは、端末装置２００は、ユーザとも呼ばれる通信装置である。当該ユーザは、ユーザ機器（User  Equipment：ＵＥ）とも呼ばれ得る。ここでのＵＥは、ＬＴＥ又はＬＴＥ−Ａにおいて定義されているＵＥであってもよく、より一般的に通信機器を意味してもよい。
【００３４】
（１）基地局１００
基地局１００は、セルラーシステム（又は移動体通信システム）の基地局として機能する通信装置である。基地局１００は、基地局１００のセル１０内に位置する端末装置（例えば、端末装置２００）との無線通信を行う。例えば、基地局１００は、端末装置へのダウンリンク信号を送信し、端末装置からのアップリンク信号を受信する。
【００３５】
（２）端末装置２００
端末装置２００は、セルラーシステム（又は移動体通信システム）において通信可能である。端末装置２００は、セルラーシステムの基地局（例えば、基地局１００）との無線通信を行う。例えば、端末装置２００は、基地局からのダウンリンク信号を受信し、基地局へのアップリンク信号を送信する。
【００３６】
（３）多重化／多元接続
とりわけ本開示の一実施形態では、基地局１００は、直交多元接続／非直交多元接続により、複数の端末装置との無線通信を行う。より具体的には、基地局１００は、ＧＦＤＭを用いた多重化／多元接続により、複数の端末装置２００との無線通信を行う。
【００３７】
例えば、基地局１００は、ダウンリンクにおいて、ＧＦＤＭを用いた多重化／多元接続により、複数の端末装置２００との無線通信を行う。より具体的には、例えば、基地局１００は、複数の端末装置２００への信号を、ＧＦＤＭを用いて多重化する。この場合に、例えば、端末装置２００は、所望信号（即ち、端末装置２００への信号）を含む多重化信号から、干渉として１つ以上の他の信号を除去し、上記所望信号を復号する。
【００３８】
なお、基地局１００は、ダウンリンクの代わりに、又はダウンリンクとともに、アップリンクにおいて、ＧＦＤＭを用いた多重化／多元接続により、複数の端末装置との無線通信を行ってもよい。この場合に、基地局１００は、当該複数の端末装置により送信される信号を含む多重化信号から、当該信号の各々を復号してもよい。
【００３９】
（４）補足
本技術は、ＨｅｔＮｅｔ（Heterogeneous  Network）又はＳＣＥ（Small  Cell  Enhancement）などのマルチセルシステムにおいても適用可能である。また、本技術は、ＭＴＣ装置及びＩｏＴ装置等に関しても適用可能である。
【００４０】
＜２．２．基地局の構成＞
図５は、本開示の一実施形態に係る基地局１００の構成の一例を示すブロック図である。図５を参照すると、基地局１００は、アンテナ部１１０、無線通信部１２０、ネットワーク通信部１３０、記憶部１４０及び処理部１５０を備える。
【００４１】
（１）アンテナ部１１０
アンテナ部１１０は、無線通信部１２０により出力される信号を電波として空間に放射する。また、アンテナ部１１０は、空間の電波を信号に変換し、当該信号を無線通信部１２０へ出力する。
【００４２】
（２）無線通信部１２０
無線通信部１２０は、信号を送受信する。例えば、無線通信部１２０は、端末装置へのダウンリンク信号を送信し、端末装置からのアップリンク信号を受信する。
【００４３】
（３）ネットワーク通信部１３０
ネットワーク通信部１３０は、情報を送受信する。例えば、ネットワーク通信部１３０は、他のノードへの情報を送信し、他のノードからの情報を受信する。例えば、上記他のノードは、他の基地局及びコアネットワークノードを含む。
【００４４】
（４）記憶部１４０
記憶部１４０は、基地局１００の動作のためのプログラム及び様々なデータを一時的に又は恒久的に記憶する。
【００４５】
（５）処理部１５０
処理部１５０は、基地局１００の様々な機能を提供する。処理部１５０は、通知部１５１及び通信制御部１５３を含む。通知部１５１は、基地局１００が送信する信号に関する設定情報を端末装置２００に通知する機能を有する。この設定情報は、後述するように、リソースに関する通信パラメータ、参照信号の配置、並びに参照信号及びデータ信号の各々に用いられる通信パラメータセットを示す情報を含む。通信制御部１５３は、かかる設定情報に基づいて、データ信号及び参照信号を端末装置２００に送信する送信処理（即ち、送信信号処理）を制御する機能を有する。なお、処理部１５０は、これらの構成要素以外の他の構成要素をさらに含み得る。即ち、処理部１５０は、これらの構成要素の動作以外の動作も行い得る。
【００４６】
＜２．３．端末装置の構成＞
図６は、本開示の一実施形態に係る端末装置２００の構成の一例を示すブロック図である。図６を参照すると、端末装置２００は、アンテナ部２１０、無線通信部２２０、記憶部２３０及び処理部２４０を備える。
【００４７】
（１）アンテナ部２１０
アンテナ部２１０は、無線通信部２２０により出力される信号を電波として空間に放射する。また、アンテナ部２１０は、空間の電波を信号に変換し、当該信号を無線通信部２２０へ出力する。
【００４８】
（２）無線通信部２２０
無線通信部２２０は、信号を送受信する。例えば、無線通信部２２０は、基地局からのダウンリンク信号を受信し、基地局へのアップリンク信号を送信する。
【００４９】
（３）記憶部２３０
記憶部２３０は、端末装置２００の動作のためのプログラム及び様々なデータを一時的に又は恒久的に記憶する。
【００５０】
（４）処理部２４０
処理部２４０は、端末装置２００の様々な機能を提供する。処理部２４０は、取得部２４１及び通信制御部２４３を含む。取得部２４１は、基地局１００から設定情報を取得する機能を有する。通信制御部１５３は、かかる設定情報に基づいて、基地局１００から送信されたデータ信号及び参照信号を受信する受信処理（即ち、受信信号処理）を制御する機能を有する。なお、処理部２４０は、この構成要素以外の他の構成要素をさらに含み得る。即ち、処理部２４０は、この構成要素の動作以外の動作も行い得る。
【００５１】
＜＜３．技術的特徴＞＞
続いて、システム１の技術的特徴を説明する。詳しくは、システム１に含まれる送信装置及び受信装置に関する技術的特徴を説明する。以下では、ダウンリンクを想定して、送信装置が基地局１００であり受信装置が端末装置２００であるものとして説明するが、アップリンクにおいても同様の説明が成り立つ。
【００５２】
＜３．１．ＧＦＤＭ＞
（１）無線リソース
図７は、本実施形態に係るＧＦＤＭにおける周波数リソース及び時間リソースの構成の一例を説明するための説明図である。本実施形態に係るシステム１に、図７に示すコンポーネントキャリア（ＣＣ：Component  Carrier）が割り当てられるものとする。コンポーネントキャリアの帯域幅をＢＣＣとする。ここでのコンポーネントキャリアは、ＬＴＥ又はＬＴＥ−Ａにおいて定義されているコンポーネントキャリアであってもよく、より一般的に単位周波数帯域を意味していてもよい。このコンポーネントキャリアの中で、周波数リソースは、さらにＮＲＢ個のリソースブロック（ＲＢ：Resource  Block）と呼ばれる、所定の帯域幅ＢＲＢのブロックに分割されている。マルチアクセスを実現する場合には、このリソースブロックを単位としてユーザへの周波数リソースの割当てが行われることが望ましい。リソースブロックの中は、さらにサブキャリアという単位に分割される。
【００５３】
ここで、一般的なＧＦＤＭ（あるいはＯＦＤＭ）では、このサブキャリアの間隔（以下では、サブキャリア間隔（Subcarrier  Spacing）とも称する）については対象のシステム内で固定の値が設定されていた。例えば、ＬＴＥのＯＦＤＭでは、１５ｋＨｚがサブキャリア間隔として固定的に設定される。サブキャリア帯域幅が、サブキャリア間隔として捉えられてもよい。
【００５４】
この点、本実施形態では、送信装置が、サブキャリア間隔を可変に設定可能であることを特徴のひとつとする。さらに、本実施形態では、サブキャリア間隔を、コンポーネントキャリア内のリソースブロックごとに異なる値、あるいはリソースブロック内でさらに異なる値を設定可能であることを特徴とする。このようにすることで、伝搬路状態に対して適切なサブキャリア間隔を設定することが可能となる。また、送信装置は、複数の受信装置との間で通信する場合に、受信装置ごとの性能及び要求に応じて適切なサブキャリア間隔を設定することが可能となる。そのため、システム１は、幅広いタイプの受信装置を収容することが可能となる。
【００５５】
また、時間方向のリソースについては、まず基準となる単位として、サブフレームという単位がある。ここでのサブフレームは、ＬＴＥ又はＬＴＥ−Ａにおいて定義されているサブフレームであってもよく、より一般的に単位時間を意味していてもよい。このサブフレーム長は、基本的には固定的に設定されることが望ましい。サブフレームの中は、さらにＧＦＤＭシンボルという単位に区切られる。このＧＦＤＭシンボルごとにＣＰが付加されることとなる。ＧＦＤＭシンボル長も、基本的には固定的に設定されることが望ましい。そして、ＧＦＤＭシンボルは、さらにサブシンボルと呼ばれる単位に区切られる。このサブシンボルの時間長（以下では、サブシンボル長（Subsymbol  period）とも称する）は、一般的なＧＦＤＭでは固定的に設定されていた。
【００５６】
この点、本実施形態では、送信装置が、サブシンボル長を可変に設定可能であることを特徴のひとつとする。また、サブキャリアの場合と同様に、本実施形態では、サブシンボル長を、リソースブロックごとに異なる値、あるいはリソースブロック内でさらに異なる値を設定可能であることを特徴とする。
【００５７】
【表１】
2018196029.tif 000003
【００５８】
ここで、送信装置は、ＯＦＤＭ又はＳＣ−ＦＤＥとの互換性が確保されるよう、パラメータを設定することが可能である。例えば、送信装置は、サブキャリア間隔及びサブシンボル長の設定を、ＯＦＤＭにおける設定と同様にする、又はＳＣ−ＦＤＥにおける設定と同様にすることで、後方互換性を確保することができる。これにより、システム１は、ＧＦＤＭに非対応なレガシ端末も収容可能となる。
【００５９】
（２）送信信号処理
サブキャリア間隔及びサブシンボル時間長を可変に設定した場合の送信信号処理について説明する。ここでの送信装置とは、例えば、通信制御部１５３による制御に基づき動作する無線通信部１２０を指す。また、ここでの受信装置とは、例えば、通信制御部２４３による制御に基づき動作する無線通信部２２０を指す。また、ここでは、ＨｅｔＮｅｔ又はＳＣＥなどのマルチセルシステムを想定する。
【００６０】
なお、以下の説明では、サブフレームに相当するインデックスは、断りがないかぎり省略している点に注意されたい。また、送信装置ｉ又は受信装置ｕのインデックスｉ及びｕは、その装置が属するセルのＩＤ、あるいはその装置が管理するセルのＩＤを示すものであってもよい。
【００６１】
あるサブフレームｔにおいて、送信装置ｉから受信装置ｕへ送信するビット列をｂｉ，ｕとする。ビット列ｂｉ，ｕは、一のトランスポートブロックを構成するものであってもよい。また、以下では、送信装置ｉが受信装置ｕへ一のビット列を送信する場合について説明するが、送信装置ｉが受信装置ｕへ複数のビット列を送信してもよく、その際にビット列が複数のトランスポートブロックを構成してもよい。
【００６２】
（２．１）第１の例
図８〜図１１は、本実施形態に係るＧＦＤＭをサポートする第１の送信装置の構成の一例を説明するための説明図である。まず、送信装置は、ユーザごとに、図８に示した処理を行い、続いて図９に示した処理を行う。その後、送信装置は、送信アンテナポート毎に、図１０及び図１１に示した処理を行う。これらの図では、１以上のユーザに対してＧＦＤＭ信号をマルチアンテナ送信することを想定した場合の構成例を示している。即ち、ユーザ数（あるいは受信装置数）ＮＵ≧１であり、送信アンテナポート数（あるいは送信アンテナ数）ＮＡＰ≧１である。なお、図中では、ユーザ数をＵとし、送信アンテナポート数をＰとしている。
【００６３】
第１の例は、図２に示したＯＦＤＭの送信信号処理を拡張して、ＧＦＤＭの送信信号処理を実現するものである。以下、図８〜図１１を参照しながら、送信処理を説明する。
【００６４】
図８に示すように、まず、送信装置は、送信するビット列に、ＣＲＣのための符号化、ＦＥＣ符号化（例えば、畳み込み符号、ターボ符号、又はＬＤＰＣ符号など)、符号化率を調整するためのレートマッチング、ビットスクランブル、及びビットインタリーブなどを実施する。これらの処理は、次式の通り表現される。
【００６５】
【数１】
2018196029.tif 000004
【００６６】
それぞれの処理は、受信装置ｕ、送信装置ｉ、又はサブフレームｔごとに処理構成が変化してもよい。なお、上記数式（１）では、処理を関数に見立てて、前段の処理結果を後段の処理の引数として扱っている。
【００６７】
続いて、図９に示すように、送信装置は、上記ビット処理の後、ビット列を複素シンボルｓにマッピング（即ち、変換）し、さらに空間レイヤｌにマッピングする。これらの処理は、次式の通り表現される。
【００６８】
【数２】
2018196029.tif 000005
【００６９】
ここで、複素シンボルｓへのマッピングには、ＢＰＳＫ、ＱＰＳＫ、８ＰＳＫ、１６ＱＡＭ、６４ＱＡＭ、又は２５６ＱＡＭ等の多様なコンスタレーションが用いられ得る。また、ＮＳＬ，ｉ，ｕは、受信装置ｕに対する空間レイヤ数である。
【００７０】
送信装置は、空間レイヤにマッピング後、次式に示すように、シンボルに対して電力割当て及びプリコーディングを実施する。
【００７１】
【数３】
2018196029.tif 000006
【００７２】
【数４】
2018196029.tif 000007
【００７３】
【数５】
2018196029.tif 000008
【００７４】
【数６】
2018196029.tif 000009
【００７５】
ここで、ＮＡＰ，ｉは、送信装置ｉの送信アンテナポート数（あるいは送信アンテナ数）であり、基本的にＮＳＬ，ｉ，ｕ≦ＮＡＰ，ｉの関係であることが望ましい。ＮＥＬ，ＴＬＬは、後述するエレメント数である。Ｗは、プリコーディング行列であり、その要素は複素数又は実数であることが望ましい。Ｐは、電力割当て行列であり、その要素は実数であることが望ましく、次式に示すように対角行列であることが望ましい。
【００７６】
【数７】
2018196029.tif 000010
【００７７】
送信装置は、電力割当て及びプリコーディングの後に、次式で示すように、送信アンテナポートごとに信号を多重する。信号の多重には、例えば重畳多重、ＳＰＣ（Superposition  Coding）、ＭＵＳＴ（Multiuser  Superposition  Transmission）、又はＮＯＭＡ（Non-Orthogonal  Multiple  Access）等が採用され得る。
【００７８】
【数８】
2018196029.tif 000011
【００７９】
ここで、Ｕｉは、送信装置ｉが信号を多重する受信装置ｕのインデクスの集合である。
【００８０】
以降の処理は、送信アンテナポートｐごと、及びＧＦＤＭシンボルｇごとの信号処理となる。図１１に示すように、まず、送信装置は、Ｓ／Ｐ変換によって、シンボルを周波数方向に展開した後、リソースエレメントマッピングによって、所定のサブキャリア及び所定のサブシンボルのエレメント上にシンボルを配置する。この配置のルールは、送信装置ｉが決めてもよく、また、多重されている受信装置ｕに対して決められるものであってもよい。
【００８１】
リソースエレメントマッピングの結果、リソースブロックｒ（０≦ｒ＜ＮＲＢ）内のサブキャリアに配置されたエレメントについて説明する。
【００８２】
対象とするリソースブロック及びＧＦＤＭシンボルにおける、サブキャリア数をＮＳＣ，ｒ，ｇとし、サブシンボル数をＮＳＳ，ｒ，ｇとする。この場合、対象とするＧＦＤＭシンボル内のエレメント数はＮＥＬ，ｒ，ｇ＝ＮＳＣ，ｒ，ｇ×ＮＳＳ，ｒ，ｇとなる。
【００８３】
サブキャリアｋｒ，ｇ及びサブシンボルｍｒ，ｇに配置されたエレメントをｘｐ，ｋｒ，ｇ，ｍｒ，ｇとする。送信装置は、各々のエレメントを（即ち、サブキャリア及びサブシンボルごとに）、まずサンプリングレートＮＳＲ，ｒ，ｇでオーバーサンプリングし、次いでフィルタ係数ｈｐ，ｋｒ，ｇ，ｍｒ，ｇ（ｎ）によってフィルタリングする。ｎはサンプルのインデクスである。なお、図中のｋは、サブキャリアのインデクスであり、Ｋは、サブキャリアの総数である。
【００８４】
フィルタリング後のサンプルは、次式の通りとなる。なお、オーバーサンプリングの効果は、フィルタ係数の項に含まれている。
【００８５】
【数９】
2018196029.tif 000012
【００８６】
送信装置は、フィルタリング後に、サブキャリアごとの周波数ｆ（ｋ）で変調して多重する。リソースブロックr、ＧＦＤＭシンボルｇが含むサブキャリアインデクスの集合をＫｒ，ｇとすると、多重後のＧＦＤＭシンボルｃ（ｎ）は、次式の通りに表現される。
【００８７】
【数１０】
2018196029.tif 000013
【００８８】
送信装置は、図１１に示すように、参照信号についても、上述した送信信号処理のうちプリコーディング以降の処理と同様の処理を行う。まず、送信信号処理は、参照信号を生成すると、プリコーディング、Ｓ／Ｐ変換、及びリソースエレメントマッピングを行い、その後、エレメントごとにオーバーサンプリング及びフィルタリングを行う。そして、図１０に示すように、送信装置はフィルタリング後の参照信号のエレメントを、ＧＤＦＭシンボルに多重する。
【００８９】
送信装置は、多重後のＧＦＤＭシンボルごとにＣＰ及びＣＳ（Cyclic  Sufix）を付加する。ＣＰ及びＣＳ付加後のＧＦＤＭシンボルは、次式の通りに表現される。
【００９０】
【数１１】
2018196029.tif 000014
【００９１】
ここで、ＮＣＰ，ｇは、ＧＦＤＭシンボルｇに付加されるＣＰのサンプル数である。
【００９２】
（２．２）第２の例
図１２及び図１３は、本実施形態に係るＧＦＤＭをサポートする第２の送信装置の構成の一例を説明するための説明図である。第２の例に係る送信装置は、第１の例と同様に、まず、ユーザごとに、図８に示した処理を行い、続いて図９に示した処理を行う。その後、第２の例に係る送信装置は、送信アンテナポート毎に、図１２及び図１３に示した処理を行う。第１の例との相違点は、第２の例では、信号処理の領域が、時間、周波数、時間という順序を経ている点である。具体的には、第１の例ではユーザごとの処理とされていた部分が、第２の例では時間領域での処理となっている。
【００９３】
第２の例は、図３に示したＳＣ−ＦＤＥの送信信号処理を拡張して、ＧＦＤＭの送信信号処理を実現するものである。本送信信号処理では、特に、オーバーサンプリングよりも前段で、処理対象の時間領域の信号を周波数変換する処理が行われることが特徴である。以下、図１２及び図１３を参照しながら、送信処理を説明する。
【００９４】
図１２に示すように、送信装置は、まず、時間シンボル系列に対して、時間から周波数への変換（例えば、ＤＦＴ又はＦＦＴ等）を実施して、周波数成分に変換する。リソースブロックｒの、サブキャリアｋ及びＧＦＤＭシンボルｇに割当てられる時間シンボル系列をｘｐ，ｒ，ｇとすると、周波数変換後の周波数成分
【数１２】
2018196029.tif 000015
【００９５】
【数１３】
2018196029.tif 000016
【００９６】
【数１４】
2018196029.tif 000017
【００９７】
【数１５】
2018196029.tif 000018
【００９８】
ここで、ＦＮは、サイズＮのフーリエ変換行列である。
【００９９】
送信装置は、周波数成分へ変換後、サブキャリアごとにオーバーサンプリングを実施する。オーバーサンプリング処理は、周波数領域では周波数成分の繰り返しに相当するため、次式のように表現される。
【０１００】
【数１６】
2018196029.tif 000019
【０１０１】
【数１７】
2018196029.tif 000020
【０１０２】
ここで、行列ＩＮは、サイズＮの単位行列である。つまり、ＩＯＳ，Ｎ，Ｍは、ＩＮをＭ個並べた行列となっている。
【０１０３】
送信装置は、オーバーサンプリング後に、所定の数のサブキャリアごとにフィルタリングを実施する。例えば、送信装置は、周波数成分ごとに、周波数フィルタ係数を乗算することでフィルタリングを実現する。なお、この所定の数は、１であってもよいし、１以上の任意の数であってもよい。１以上の任意の数としては、例えば後述する単位リソースに含まれるサブキャリアの数であってもよい。フィルタリング後の信号は、次式の通りに表現される。
【０１０４】
【数１８】
2018196029.tif 000021
【０１０５】
ここで、行列Γは、フィルタリング係数である。この行列は、一般に対角行列とすることができる。つまり、行列Γは、次式の通りとされてもよい。
【０１０６】
【数１９】
2018196029.tif 000022
【０１０７】
送信装置は、フィルタリング後に、周波数成分を所定のルールにしたがってマッピングして、周波数から時間への変換（例えば、ＩＤＦＴ又はＩＦＦＴ、など）を実施する。各々の処理は、次式の通りに表現される。
【０１０８】
【数２０】
2018196029.tif 000023
【０１０９】
【数２１】
2018196029.tif 000024
【０１１０】
ここで、ＦＨは、Ｆのエルミート行列である。また、Ａは、サイズＮＩＤＦＴ×ＮＳＳ，ｒ，ｋ，ｇ×ＮＳＲ，ｒ，ｋ，ｇの周波数マッピング行列である。サブキャリアごとのフィルタリング後の周波数成分ｋ’が最終的な周波数成分ｋに配置される場合、周波数マッピング行列Ａの（ｋ，ｋ’）成分は１となる。サブキャリアごとのフィルタリング後の周波数成分ｋ’が最終的な周波数成分ｋに配置されない場合、周波数マッピング行列Ａの（ｋ，ｋ’）成分は０となる。周波数マッピング行列Ａは、各行の要素の和が１以下であること、及び各列の要素の和が１以下であることが望ましい。
【０１１１】
送信装置は、図１３に示すように、参照信号についても、上述した送信信号処理のうちプリコーディング以降の処理と同様の処理を行う。まず、送信信号処理は、参照信号を生成すると、プリコーディング、時間から周波数への変換、及びリソースエレメントマッピングを行い、その後、エレメントごとにオーバーサンプリング、フィルタリング及び周波数マッピングを行う。そして、図１２に示すように、送信装置は周波数マッピング後の参照信号のエレメントを、ＧＤＦＭシンボルに多重する。
【０１１２】
送信装置は、周波数から時間への変換後のＧＦＤＭシンボルごとにＣＰを付加する。ＣＰ付加後のＧＦＤＭシンボルは、次式の通りに表現される。
【０１１３】
【数２２】
2018196029.tif 000025
【０１１４】
ここで、ＮＣＰ，ｇは、ＧＦＤＭシンボルｇに付加されるＣＰのサンプル数である。
【０１１５】
（２．３）第１の例と第２の例との比較
第１の例に係る送信装置と第２の例に係る送信装置とは、理論上は同一の波形を生成するものであると言える。ただし、以下に説明するような、異なる長さのサブシンボル及び／又は異なる間隔のサブキャリアを多重する場合においては、実装の簡易性に差が出てくる。
【０１１６】
具体的には、第１の例の場合には、間隔が異なるサブキャリアが混在する場合、サブキャリアの多重にＩＤＦＴ又はＩＦＦＴなどの高速演算を用いることが困難である。これは、ＩＤＦＴ及びＩＦＦＴでは、分解能が一定でない信号を入力とすることが困難であることに起因する。
【０１１７】
一方で、第２の例の場合には、パラメータを適切に設定することで、周波数から時間への変換にＩＤＦＴ又はＩＦＦＴなどの高速演算を用いることが可能である。即ち、第２の例に係る送信装置の方が、第１の例に係る送信装置と比較して、実装の簡易性の観点から有用である。
【０１１８】
（３）パラメータ設定
以下では、本実施形態に係る送信装置によるパラメータ設定について説明する。
【０１１９】
（３．１）フィルタリングのパラメータ設定
本実施形態に係る送信装置は、ひとつ以上のサブキャリア又はひとつ以上のサブシンボルから成る単位リソースに含まれるサブキャリアの間隔又はサブシンボルの時間長の少なくともいずれかを可変に設定する。ここでの単位リソースとは、周波数リソースの単位（例えば、リソースブロック又はコンポーネントキャリア等）であってもよいし、時間リソースの単位（例えば、ＧＦＤＭシンボル又はサブフレーム等）であってもよいし、周波数リソースと時間リソースとの組み合わせの単位であってもよい。そして、送信装置は、この設定に基づいてフィルタリングを行う。具体的には、送信装置は、設定されたサブキャリアの間隔に基づいてフィルタの帯域幅を可変に設定する。上記説明した第１又は第２の構成では、所定の数のサブキャリアごとにフィルタリングを行うことが可能であるので、可変に設定されたサブキャリアの間隔及び可変に設定されたサブシンボルの時間長を実現するリソース構成を実現することが可能となる。例えば、本実施形態に係る送信装置は、異なる時間長のサブシンボル及び／又は異なる間隔のサブキャリアを、同一のＧＦＤＭシンボル期間内で多重することができる。そのようなＧＦＤＭシンボルの構成の一例を、図１４に示す。
【０１２０】
図１４に示すように、送信装置は、サブシンボル長及びサブキャリア間隔に関し、単位リソースごとに異なる値を設定可能である。ただし、送信装置は、単位リソース内では、サブキャリア間隔及びサブシンボル長を同一に設定する。例えば、図１４に示した例では、一のリソースブロック内ではサブキャリア間隔及びサブシンボル長が同一である。マルチユーザシステムにおいて、リソースブロックが周波数リソースの割当て単位とされる場合、このような設定により、一のユーザに対してはサブシンボル長及びサブキャリア間隔を所定値とすることが可能となる。これにより、送信処理及び受信処理をシンプルにすることが可能となる。また、送信装置は、サブシンボル長及びサブキャリア間隔に関し、ＧＦＤＭシンボル単位で又はサブフレーム単位で異なる値を設定可能である。
【０１２１】
また、異なる単位リソース間で、サブキャリア数とサブシンボル数との積の値が同一であることが望ましい。例えば、図１４に示した例では、同一のＧＦＤＭシンボル期間内で多重される複数のリソースブロックのサブキャリア数とサブシンボル数との積は全て８である。このようにすることで、可変パラメータを導入した場合の送信装置の構成及び受信装置の構成（即ち、送信処理及び受信処理）が簡素化され得る。
【０１２２】
送信装置は、サブキャリアの間隔を可変に設定可能である。例えば、送信装置は、サブキャリアの間隔を、システム１で定められる設定可能な最小値の整数倍に設定し得る。また、送信装置は、サブキャリア間隔を、単位リソースの帯域幅を割り切れる値に設定し得る。これらの設定により、送信装置は、利用可能な全周波数リソースを無駄なく使い切ることが可能になる。なお、サブキャリア間隔の最小値は、ＧＦＤＭシンボル内のサブシンボル数が１である場合のサブキャリア間隔に等しいことが望ましい。
【０１２３】
送信装置は、サブシンボル長を可変に設定可能である。例えば、送信装置は、サブシンボル長を、システム１で定められる設定可能な最小値の整数倍に設定し得る。また、送信装置は、サブシンボル長を、単位リソースの時間長を割り切れる値に設定し得る。これらの設定により、送信装置は、利用可能な全時間リソースを無駄なく使い切ることが可能になる。なお、サブシンボル長の最小値は、リソースブロック内のサブキャリア数が１である場合のサブシンボル長に等しいことが望ましい。
【０１２４】
下記の表に、本実施形態に係るシステム１において取り得る、リソースに関するパラメータの範囲の一例を示した。
【０１２５】
【表２】
2018196029.tif 000026
【０１２６】
なお、図１４では、ＣＰを付加する前段階の様子が図示されている。送信装置は、付加対象のひとつ以上の単位リソースに同一の時間長のＣＰを付加する。
【０１２７】
（３．２）オーバーサンプリングのパラメータ設定
オーバーサンプリングのパラメータは、送信処理に応じて設定されてもよい。
【０１２８】
例えば、図８〜図１１に示した第１の送信装置に関しては、サンプリングレートＮＳＲ，ｒ，ｇは、サブキャリア総数以上であることが望ましい。さらに、サブシンボル長及びサブキャリア間隔が可変の場合、サブキャリア総数には、実際のサブキャリア数が設定されてもよい（即ち、ガードインターバルが考慮しなくてもよい）。これに代えて、サブキャリア総数には、すべてのサブキャリア間隔をシステム１で取り得る最小値とした場合のサブキャリア数（即ち、システム１が取り得る最大のサブキャリア総数）が設定されてもよい。また、サブキャリアの多重がＩＤＦＴ又はＩＦＦＴにより実行される場合、オーバーサンプリングパラメータＮＳＲ，ｒ，ｇには、そのＩＤＦＴサイズ又はＩＦＦＴサイズが設定されてもよい。
【０１２９】
例えば、図１２及び図１３に示した第２の送信装置に関しては、オーバーサンプリングのパラメータは、第１の送信装置の場合と比較して、小さい値を設定可能である。例えば、ＲＣフィルタ（Raised-Cosine  Filter）あるいはＲＲＣフィルタ（Root-Raised-Cosine  Filter）に対応する送信フィルタ係数が採用される場合、オーバーサンプリング数は高々２であれば足りると言える。もちろん、その場合であってもオーバーサンプリング数は２以上であってもよい。
【０１３０】
＜３．２．通信パラメータセットの混在＞
基地局１００及び端末装置２００は、単位リソースにおいて、ひとつ以上の通信パラメータを含む通信パラメータセットを複数用いた通信が可能である。換言すると、基地局１００は、単位リソースにおいて複数の通信パラメータセットを混在させて端末装置２００と通信することが可能である。
【０１３１】
単位リソースは、所定の周波数リソース及び所定の時間リソースから成るリソースである。単位リソースは、例えばひとつ又は複数のコンポーネントキャリア、リソースブロック又はサブキャリアと、ひとつ又は複数のフレーム、サブフレーム、スロット又はシンボルとから成る。
【０１３２】
（１）通信パラメータセットの一例
通信パラメータセットに含まれる通信パラメータは、多様に考えられる。例えば、通信パラメータセットは、波形及び物理層パラメータを含む。より具体的には、通信パラメータセットは、プリコーディング、フィルタリング、オーバーサンプリング、波形、リソース設定又は送信電力の少なくともいずれかに関する通信パラメータを含み得る。
【０１３３】
・プリコーディング
プリコーディングに関する通信パラメータは、例えばプリコーディング係数である。プリコーディング係数としては、プリコーディングマトリクス及びプリコーディングウェイトが挙げられる。
【０１３４】
・フィルタリング
フィルタリングに関する通信パラメータは、例えばフィルタの方式、及びフィルタ係数である。フィルタの方式としては、例えばRaised-Cosine  Filter、及びRoot-Raised-Cosine  Filterが挙げられる。
【０１３５】
・オーバーサンプリング
オーバーサンプリングに関する通信パラメータは、例えばオーバーサンプリング係数である。オーバーサンプリング係数としては、例えばサンプリングレートが挙げられる。
【０１３６】
・波形
波形に関する通信パラメータは、例えば、上述したＯＦＤＭＡ、ＤＦＴ−Ｓ−ＯＦＤＭＡ（ＳＣ−ＦＤＭＡ）、及びＧＦＤＭＡなどの変調方式である。なお、ＯＦＤＭＡ、ＤＦＴ−Ｓ−ＯＦＤＭＡ（ＳＣ−ＦＤＭＡ）、及びＧＦＤＭＡは、一般的には変調方式又はマルチアクセス方式に分類される技術である。本明細書では、これらの技術により生成される波形に着目して、これらの技術を波形として捉える。
【０１３７】
・リソース設定
リソース設定に関する通信パラメータは、例えばサブキャリア間隔及びスロット長である。
【０１３８】
（２）通信パラメータセットの混在
基地局１００は、単位リソースにおいて複数の通信パラメータセットを用いて通信する。その際、基地局１００は、例えば単位リソースを周波数範囲又は時間範囲の少なくともいずれかで区切り、各々で異なる通信パラメータセットを用いて通信し得る。
【０１３９】
一例として、通信パラメータセットは、周波数チャネル（例えば、コンポーネントキャリア）内の所定の周波数範囲（例えば、リソースブロック）ごとに異なっていてもよい。また、通信パラメータセットは、所定の時間範囲（例えば、サブフレーム）ごとに異なっていてもよい。さらに、通信パラメータセットは、参照信号とデータ信号とで異なっていてもよい。この点について、以下で詳しく説明する。
【０１４０】
＜３．３．送信信号処理の制御＞
基地局１００は、参照信号とデータ信号とで異なる送信信号処理を適用する。詳しくは、基地局１００は、データ信号と参照信号とで異なる通信パラメータセットを用いて生成したデータ信号及び参照信号を端末装置２００へ送信する。一方で、端末装置２００は、データ信号と参照信号とで異なる通信パラメータセットを用いて生成されたデータ信号及び参照信号の受信処理を行う。ここでの参照信号とは、受信側での復調のための参照信号であり、例えばＤＭ−ＲＳ（Demodulation  Reference  Signal）である。参照信号とデータ信号とで異なる送信信号処理が適用されることで、異なるサブキャリア間隔及びシンボル長が混在する場合に発生する干渉が、参照信号およびチャネル推定精度へ与える影響を小さくすることが可能となる。これに伴い、端末装置２００における受信信号の復調精度及び復号精度の劣化を抑制することが可能となる。
【０１４１】
上記図８〜図１３では、データ信号用のための処理ブロックと参照信号の処理ブロックとが独立している。基地局１００は、各々の処理ブロックにおいて異なる通信パラメータセットを用いることで、データ信号と参照信号とに異なる送信信号処理を適用する。下記の表３に、データ信号と参照信号とに適用される送信信号処理の組み合わせの一例を示す。
【０１４２】
【表３】
2018196029.tif 000027
【０１４３】
・プリコーディング
プリコーディングについては、データ信号と参照信号とで共通する処理が適用されることが望ましい。換言すると、データ信号と参照信号とで共通の係数（プリコーディングマトリクス又はプリコーディングウェイト）が用いられることが望ましい。上記表３では、ケースＣ１〜Ｃ６が望ましい。もちろん、データ信号と参照信号とで異なる処理が適用されてもよい。ただし、その場合、受信装置で、データ信号と参照信号とのプリコーディングの違いを反映したチャネル推定、等化処理、復号処理及び復調処理を行うこととなり、処理負荷が高くなり得る。
【０１４４】
・フィルタリング
フィルタリングについては、データ信号と参照信号とで異なる処理が適用されることが望ましい。
【０１４５】
基地局１００は、データ信号と参照信号とで、同一の方式のフィルタで異なるフィルタ係数を用いてもよい。例えば、基地局１００は、Raised-Cosine  Filterをフィルタ方式として採用する場合、データ信号と参照信号とで異なるロールオフ率を採用する。具体的には、基地局１００は、参照信号のロールオフ率をデータ信号のロールオフ率よりも小さくする、即ちフィルタリングの帯域制限を急峻にしてもよい。若しくは、基地局１００は、参照信号のロールオフ率を大きくする、即ちフィルタリングの帯域制限を緩くしてもよい。後述するシミュレーション結果によれば、前者の方が良好な誤り率特性を得られるので、望ましいと言える。
【０１４６】
基地局１００は、データ信号と参照信号とで、異なる方式のフィルタを用いてもよい。第１の例として、基地局１００は、データ信号にはRaised-Cosine  Filterを適用し、参照信号にはRoot-Raised-Cosine  Filterを適用してもよい。あるいは、基地局１００は、データ信号にはRoot-Raised-Cosine  Filterを適用し、参照信号にはRaised-Cosine  Filterを適用してもよい。また、第２の例として、基地局１００は、データ信号には帯域制限フィルタ(Raised-Cosine又はRoot-Raised-Cosine  Filter等)を適用し、参照信号には送信側干渉除去フィルタを適用してもよい。このような差異により、特に参照信号への干渉の影響を軽減することが可能となる。また、第３の例として、基地局１００は、データ信号へのフィルタリングを行いつつ、参照信号へのフィルタリングを省略（即ち、スキップ）してもよい。このことは、データ信号と参照信号とで波形変調方式（即ち、波形）を変えることとして捉えられてもよい。例えば、基地局１００は、データ信号をＧＦＤＭ、Ｆｉｌｔｅｒｅｄ−ＯＦＤＭ、又はＦＢＭＣ（Filter−Bank  Multicarrier）で送信するのに対し、参照信号をＯＦＤＭで送信してもよい。このような波形の差異によっても、参照信号への干渉の影響を軽減することが可能である。
【０１４７】
・オーバーサンプリング
オーバーサンプリングについては、上述したフィルタリングの差異に応じた処理が行われることが望ましい。例えば、基地局１００は、データ信号へのフィルタリングを行い参照信号へのフィルタリングを省略する場合、データ信号へのオーバーサンプリングを行い参照信号へのオーバーサンプリングを省略する。
【０１４８】
・波形
上述した波形の差異は、シングルキャリア波形の特徴を有するか否かの差異として捉えられてもよい。下記表４に、シングルキャリア波形の特徴を持つ波形と持たない波形の一例を示す。
【０１４９】
【表４】
2018196029.tif 000028
【０１５０】
シングルキャリアの特徴を有するか否かの基準の一例として、送信側でＤＦＴ拡散又はＦＦＴ拡散が実施されるか否かが挙げられる。例えば、図３、図１２及び図１３に示した送信装置では、時間から周波数への変換（Time-to-Frequency  Conversion）処理において、ＤＦＴ拡散又はＦＦＴ拡散が行われる。そのため、ＳＣ−ＦＤＭＡ、ＤＦＴ−Ｓ−ＯＦＤＭＡ、ＧＦＤＭＡ（ＤＦＴ拡散を使うＧＦＤＭＡ）は、シングルキャリア波形の特徴を持つ波形であると捉えることができる。一方で、ＤＦＴ拡散又はＦＦＴ拡散が行われない波形については、シングルキャリア波形の特徴を持たない波形であると捉えることができる。
【０１５１】
基地局１００は、データ信号と参照信号とに、シングルキャリア波形の特徴を持つか否かに関し、共通する特徴の波形を用いることが望ましい。例えば、基地局１００は、データ信号と参照信号とに、共にシングルキャリア波形の特徴を持つ波形を用いてもよいし、共にシングルキャリア波形の特徴を持たない波形を用いてもよい。もちろん、基地局１００は、データ信号と参照信号とで、シングルキャリア波形の特徴を持つか否かで異なる波形を用いてもよい。
【０１５２】
また、上述した波形の差異は、波形が直交波形又は非直交波形のいずれの特徴を有するかの差異として捉えられてもよい。下記表５に、直交波形の特徴を持つ波形と非直交波形の特徴を持つ波形の一例を示す。
【０１５３】
【表５】
2018196029.tif 000029
【０１５４】
表５に示すように、直交波形の特徴をもつ波形としては、例えば、ＳＣ−ＦＤＭＡ、ＤＦＴ−Ｓ−ＯＦＤＭＡ、ＯＦＤＭＡがある。これらは、図２及び図３を参照して上記説明したように、送信信号処理において、オーバーサンプリング及びフィルタリングといった処理を行わないことを特徴とする波形であるとも言える。
【０１５５】
他方、表５に示すように、非直交波形の特徴をもつ波形としては、例えば、Filtered  OFDMA、UF（Universal  Filtered）−OFDMA、FBMC（Filterbank  Multicarrier）、GFDMA（Generalized  Frequency  Division  Multiple  Access）、ＦＴＮ（Faster−Than−Nyquist）などができる。これらは、図１、図８〜図１２を参照して上記説明したように、送信信号処理において、オーバーサンプリング及びフィルタリングといった処理を行うことを特徴とする波形であるとも言える。
【０１５６】
例えば、基地局１００は、データ信号に非直交波形を用い参照信号に直交波形を用いる。この場合、少なくとも参照信号への干渉が軽減されるので、チャネル推定を高く保つことが可能である。なお、基地局１００は、データ信号にも直交波形を用いてもよい。
【０１５７】
なお、波形の差異は、送信処理の差異又は受信処理の差異に言い換えることができる。前者は、例えばサブキャリア間隔の差異、ＣＰ長の差異若しくは有無、ＤＦＴ換算処理の有無、フィルタバンク処理の有無、サブバンドフィルタリング処理の有無、サブキャリアフィルタリング処理の有無、及びFaster-Than-Nyquist処理の有無である。後者は、例えば干渉キャンセラ設定の有無である。
【０１５８】
・リソース設定
基地局１００は、データ信号と参照信号とでサブキャリア間隔又はシンボル長の少なくともいずれかを異ならせてもよい。例えば、基地局１００は、データ信号と比較して参照信号のサブキャリア間隔又はシンボル長の少なくともいずれかを短くする。これにより、参照信号の送信に係るオーバーヘッドを削減し、リソースあたりのデータ搬送量、即ち周波数利用効率を向上させることが可能となる。このようなリソース設定に関しては、図１８及び図１９を参照して後に説明する。また、例えば、基地局１００は、データ信号と比較して参照信号のサブキャリア間隔又はシンボル長の少なくともいずれかを長くする。これにより、チャネル推定精度を向上させることが可能である。このようなリソース設定に関しては、図２０及び図２１を参照して後に説明する。
【０１５９】
・送信電力
基地局１００は、データ信号と参照信号とで送信電力を異ならせてもよい。例えば、基地局１００は、参照信号の送信電力を、データ信号（即ち、データシンボル）の送信電力と等しいか、それ以上に設定する。即ち、基地局１００は、データ信号を基準とする参照信号の電力比を、１または１以上に設定する。これにより、チャネル推定精度を高く保つことが可能となる。
【０１６０】
＜３．４．参照信号の配置＞
典型的な通信システムでは、受信装置側で電波伝搬路応答（Channel  Response）の推定（チャネル推定など）が行われる。そのために、送信側から受信側にチャネル推定用の既知の信号系列（参照信号、既知信号又はパイロット信号（Reference  Signals/Sequences、Known  Signals/Sequences、Pilot  Signals/Sequences、Training  Signals/Sequences等））が送信される。ここでの既知の信号系列とは、例えばＤＭ−ＲＳ（Demodulation  Reference  Signal）である。
【０１６１】
参照信号及びデータ信号の送信に関し複数の通信パラメータセット（例えば、サブキャリア間隔又はシンボル長）が混在される場合、チャネル推定の精度、及びリソースにおける参照信号の比率（参照信号のオーバーヘッド）についても検討されることが望ましい。なお、参照信号それ自体は情報を運ぶためには使えないため、参照信号の量は少ない方が周波数利用効率の上では有利である。
【０１６２】
以下、図１５〜図２１を参照して、参照信号の配置の一例を説明する。ここで、図１５〜図２１では、リソースブロックごとに通信パラメータセットが可変に用いられる例を示した。
【０１６３】
図１５は、本実施形態に係る参照信号の第１の配置例を示す図である。図１５では、リソースブロック間で同一のサブキャリア間隔及びシンボル長が設定されている。本図では、ハッチングが掛けられたリソースにおいて参照信号が送信され、ハッチングが掛けられていないリソースにおいてデータ信号が送信される。以降の図でも同様である。本リソース設定は、既存のＬＴＥにおけるリソース設定と同様である。この場合、参照信号についても、既存のＬＴＥの通りの配置でよい。
【０１６４】
図１６は、本実施形態に係る参照信号の第２の配置例を示す図である。図１６では、リソースブロック間で異なるサブキャリア間隔及びシンボル長が設定されている。この場合、図１６に示すように、所定リソース間の参照信号の周波数間隔及び時間間隔が所定の条件を満たすよう、参照信号が配置されることが望ましい。
【０１６５】
参照信号の周波数間隔とは、単位リソース（例えば、コンポーネントキャリア）内の所定リソース（本図では１つのリソースブロック及び１つのスロット（又はミニスロット）から成るリソース）における、参照信号が配置される周波数リソース同士の最小の間隔である。参照信号の時間間隔とは、単位リソース内の所定リソースにおける、参照信号が配置される時間リソース同士の最小の間隔である。
【０１６６】
以下、所定の条件について説明する。
【０１６７】
第１に、単位リソースにおけるリソース設定が異なる第１のリソース及び第２のリソースにおいて、第１のリソースに配置される参照信号の周波数間隔と第２のリソースに配置される参照信号の周波数間隔との比が、第１のリソースと第２のリソースとのサブキャリア間隔の比に比例又はほぼ比例することが望ましい。例えば、第１のリソースのサブキャリア間隔と比較して第２のリソースのサブキャリア間隔がｋ倍の関係にあるときに、第１のリソースに配置される参照信号の周波数間隔と比較して第２のリソースに配置される参照信号の周波数間隔がｋ倍、あるいはそれ以下であることが望ましい。図１６に示した例では、リソースブロックｎ＋１のサブキャリア間隔は、リソースブロックｎのサブキャリア間隔の約２倍である。そして、リソースブロックｎ＋１に配置される参照信号の周波数間隔は、リソースブロックｎに配置される参照信号の周波数間隔の約２倍である。このような配置条件を、第１の条件とも称する。
【０１６８】
第２に、単位リソースにおけるリソース設定が異なる第１のリソース及び第２のリソースにおいて、第１のリソースに配置される参照信号の時間間隔と第２のリソースに配置される参照信号の時間間隔との比が、第１のリソースと第２のリソースとのシンボル長の比に比例又はほぼ比例することが望ましい。例えば、第１のリソースのシンボル長と比較して第２のリソースのシンボル長が１／ｋ倍の関係にあるときに、第１のリソースに配置される参照信号の時間間隔と比較して第２のリソースに配置される参照信号の時間間隔が１／ｋ倍、あるいはそれ以下であることが望ましい。図１６に示した例では、リソースブロックｎ＋１のシンボル長は、リソースブロックｎのシンボル長の約１／２倍である。そして、リソースブロックｎ＋１に配置される参照信号の時間間隔は、リソースブロックｎに配置される参照信号の時間間隔の約１／２倍である。このような配置条件を、第２の条件とも称する。
【０１６９】
第３に、単位リソースにおけるリソース設定が異なる第１のリソース及び第２のリソースにおいて、第１のリソースに配置される参照信号の時間間隔と第２のリソースに配置される参照信号の時間間隔との比が、第１のリソースと第２のリソースとのサブキャリア間隔の比に反比例又はほぼ反比例することが望ましい。例えば、第１のリソースのサブキャリア間隔と比較して第２のリソースのサブキャリア間隔がｋ倍の関係にあるときに、第１のリソースに配置される参照信号の時間間隔と比較して第２のリソースに配置される参照信号の時間間隔が１／ｋ倍、あるいはそれ以下であることが望ましい。図１６に示した例では、リソースブロックｎ＋１のサブキャリア間隔は、リソースブロックｎのサブキャリア間隔の約２倍である。そして、リソースブロックｎ＋１に配置される参照信号の時間間隔は、リソースブロックｎに配置される参照信号の時間間隔の約１／２倍である。このような配置条件を、第３の条件とも称する。
【０１７０】
第１〜第３の条件が満たされる場合、所定リソースあたりの参照信号のオーバーヘッドを、当該所定リソースにおける通信パラメータセット（例えば、サブキャリア間隔及びシンボル長）に依らずに、ほぼ一定に保つことが可能である。従って、データ信号部分で運ぶことができるデータ量（例えば所定リソースあたりのTransport  Block  Size、Number  of  Transport  Blocks、Codeword  Size、Number  of  Codewords、Code  Block  Size、Number  of  Code  Blocks等)の計算を共通化することが可能となる。
【０１７１】
他にも、図１７に示すように、所定リソース間の参照信号の周波数間隔及び時間間隔が第４の条件を満たすよう、参照信号が配置されてもよい。
【０１７２】
図１７は、本実施形態に係る参照信号の第３の配置例を示す図である。図１７では、リソースブロック間で異なるサブキャリア間隔及びシンボル長が設定されている。本図によれば、単位リソースにおけるリソース設定が異なる第１のリソース及び第２のリソースにおいて、第１のリソースに配置される参照信号の周波数間隔及び時間間隔と第２のリソースに配置される参照信号の周波数間隔及び時間間隔とが同一又は略同一である。より簡易には、参照信号の周波数間隔及び時間間隔が、サブキャリア間隔及びシンボル長によらずほぼ一定に配置されている。ここで、参照信号の周波数間隔が同一又は略同一であるとは、サブキャリア間隔がｋ倍の関係（図中ではｋ＝２）にあるとき、参照信号の周波数間隔が同一又はそれ以下であることを指す。また、参照信号の時間間隔が同一又は略同一であるとは、シンボル長が１／ｋ倍（図中ではｋ＝２）の関係にあるとき、参照信号の時間間隔が同一又はそれ以下であることを指す。このような配置条件を、第４の条件とも称する。
【０１７３】
第４の条件が満たされる場合、チャネル推定の推定精度をサブキャリア間隔及びシンボル長によらず一定に保つことが可能となる。つまり、周波数選択性フェージングチャネルにおいてサブキャリア間隔を変える場合であっても、参照信号の周波数間隔がほぼ一定となることによって、受信装置側は、周波数選択性の特性を高精度に推定することが可能となる。これに対し、参照信号の周波数間隔が広がってしまうと、周波数選択性の追従が難しくなる可能性がある。
【０１７４】
図１８は、本実施形態に係る参照信号の第４の配置例を示す図である。図１８では、リソースブロック間でデータ信号のサブキャリア間隔及びシンボル長を変える場合に、リソースブロック内での参照信号のシンボル長をデータ信号のシンボル長から変える例が示されている。この場合には、参照信号のオーバーヘッドを削減可能であるという利点があり、実効的な周波数利用効率を改善可能である。さらに、本図によれば、第１の条件、第２の条件及び第３の条件が満たされており、上述したデータ量計算の共通化が可能となる。
【０１７５】
図１９は、本実施形態に係る参照信号の第５の配置例を示す図である。図１９では、リソースブロック間でデータ信号のサブキャリア間隔及びシンボル長を変える場合に、リソースブロック内での参照信号のサブキャリア間隔をデータ信号のサブキャリア間隔から変える例が示されている。この場合には、参照信号のオーバーヘッドを削減可能であるという利点があり、実効的な周波数利用効率を改善可能である。さらに、本図によれば、第４の条件が満たされており、周波数選択性の特性を高精度に推定可能である。
【０１７６】
図２０は、本実施形態に係る参照信号の第６の配置例を示す図である。図２０では、リソースブロック間でリソースのサブキャリア間隔及びシンボル長を変える場合に、参照信号の周波数方向の密度を高める例が示されている。特に、図２０に示すように、データ信号のシンボル長を短くする（即ち、サブキャリア間隔を広げる）方向に変える場合、チャネル推定精度を保ちつつ、受信処理時間を短くしたいという要求があると考えられる。その場合、参照信号を所定の時間リソースに集中させながら周波数方向の密度を高くすることで、このような要求に対応することが可能となる。
【０１７７】
図２１は、本実施形態に係る参照信号の第７の配置例を示す図である。図２１では、リソースブロック間でリソースのサブキャリア間隔及びシンボル長を変える場合に、参照信号の時間方向の密度を高める例が示されている。特に、図２１に示すように、データ信号のサブキャリア間隔を広げる（即ち、シンボル長を短くする）方向に変える場合、周波数同期及び位相雑音などに対するＲＦ回路の精度による劣化の影響が高まる懸念がある。このような懸念に対し、参照信号の時間方向の密度を高めることによって、このようなＲＦ回路の精度のバラつきをトラッキングすることが可能となる。
【０１７８】
以上、参照信号の配置の一例を説明した。
【０１７９】
ここで、図１８から図２１に示した配置の場合、所定リソース内のデータ信号の一部については、参照信号のサブキャリア間隔又はシンボル長の変更の影響で、同一所定リソース内の他のデータ信号と異なるサブキャリア間隔又はシンボル長となる。これにより、所定リソース内のリソースを、データ信号のために有効に活用することが可能となる。なお、このようなデータ信号は、参照信号と時間的あるいは周波数的に隣接していることが望ましい。あるいは、このリソース部分はヌル（無信号）成分として取り扱われてもよい。その場合、実効的な周波数利用効率が低下し得るものの、送受信処理の簡易化が可能となる。
【０１８０】
参照信号の配置は、単位リソース内のリソース設定、例えばリソースブロックごとのサブキャリア間隔及びシンボル長の設定に基づいて制御される。このことは、参照信号の配置が、波形によって制御されるものと捉えることも可能である。例えば、基地局１００は、リソースブロックにＯＦＤＭが適用されるかＤＦＴ−Ｓ−ＯＦＤＭが適用されるかによって、参照信号の配置を制御してもよい。
【０１８１】
＜３．５．設定情報の通知＞
基地局１００は、送信処理に用いる設定情報を端末装置２００に通知する。端末装置２００は、通知された設定情報に基づいて受信処理を行う。
【０１８２】
設定情報は、リソースに関する通信パラメータを示す情報を含んでいてもよい。例えば、設定情報は、単位リソースにおける所定リソースごとのサブキャリア間隔、サブキャリア数、シンボル長、及びシンボル数を含む。
【０１８３】
設定情報は、参照信号の配置を示す情報を含んでいてもよい。参照信号の配置を示す情報が端末装置２００に通知されることにより、端末装置２００は参照信号の配置を認識して受信信号処理を適切に行うことが可能となる。参照信号の配置を示す情報は、参照信号が配置されるリソースを示す情報であり、かかるリソースのサブキャリア間隔及びシンボル長を示す情報を含み得る。
【０１８４】
設定情報は、参照信号及びデータ信号の各々に用いられる通信パラメータセットを示す情報を含んでいてもよい。例えば、設定情報は、参照信号及びデータ信号の各々に用いられる、プリコーディング係数、フィルタ、フィルタ係数、オーバーサンプリング係数、波形、リソース設定、及び送信電力（例えば、両者の電力比）を示す情報を含む。参照信号とデータ信号とに適用する通信パラメータセットを示す情報が端末装置２００に通知されることにより、端末装置２００は、参照信号及びデータ信号の受信処理を適切に行うことが可能となる。
【０１８５】
基地局１００は、リソース設定、参照信号の配置、又は参照信号若しくはデータ信号に適用する通信パラメータセットを、適宜切り替え可能である。基地局１００は、かかる切り替えを、例えばセル内の端末装置２００の数、トラフィック量又は干渉等に応じて行うことで、通信効率を維持することが可能である。基地局１００は、設定情報を周期的に通知してもよいし、非周期的に通知してもよい。例えば、基地局１００は、リソース設定、参照信号の配置又は参照信号若しくはデータ信号に適用する通信パラメータセットの変更に応じて、非周期的に設定情報を通知する。ただし、設定情報の通知は、データ信号の送受信に先立って行われることが望ましい。
【０１８６】
設定情報は、システム情報（ＳＩＢ（System  Information  Block）又はＭＩＢ（Master  Information  Block））、又はＲＲＣ(Radio  Resource  Configuration)シグナリングにより通知され、設定されてもよい。この場合、静的又は準静的な設定となるので、その設定範囲は、単位リソース全体又は所定範囲のリソースとなる。
【０１８７】
設定情報は、制御チャネル又は制御情報（例えば、ＤＣＩ(Downlink  Control  Information)）により通知され、設定されてもよい。この場合、動的な設定となるので、その設定範囲は、スケジューリングの割り当て毎となる。
【０１８８】
なお、端末間通信（D2D：Device-to-Device  Communication、ProSe：Proximity  Services）に関しても、リソース設定、参照信号の配置、参照信号に適用する通信パラメータセット、及びデータ信号に適用する通信パラメータセットの制御は行われ得る。そのため、上述した設定情報は、送信装置と受信装置との間で共有されることが望ましい。そこで、基地局１００は、設定情報を、端末間通信を行う各々の端末装置２００に通知してもよい。この場合、設定情報は、システム情報、又はＲＲＣシグナリングを介して静的に又は準静的に通知され、設定されることが望ましい。他方、サイドリンク通信を行う端末装置２００同士で、設定情報の送受信が行われてもよい。この場合、データ信号を送信する側の端末装置２００が、受信する側の端末装置２００に設定情報を通知する。設定情報は、例えばサイドリンク用の制御チャネル又は制御情報（例えば、ＳＣＩ（Sidelink  Control  Information)）を介して通知され、設定され得る。
【０１８９】
＜３．６．処理の流れ＞
以下、図２２〜図２４を参照して、本実施形態に係るシステム１において実行される通信処理の流れの一例を説明する。
【０１９０】
まず、図２２を参照して、ダウンリンクでのデータ信号の送信に関する処理の流れの一例を説明する。
【０１９１】
図２２は、本実施形態に係るシステム１において実行される通信処理の流れの一例を示すシーケンス図である。本シーケンスは、基地局１００及び端末装置２００が関与する。図２２に示すように、まず、基地局１００は、システム情報を端末装置２００に送信する（ステップＳ１００）。システム情報は、上述した設定情報の一部又は全部を含み得る。システム情報は、例えばＰＢＣＨ（Physical  Broadcast  Channel）又はＰＤＳＣＨ（Physical  Downlink  Shared  Channel）を介して送信される。次に、基地局１００は、測定用信号（例えば、ＣＳＩ−ＲＳ（Channel  State  Information  Reference  Signal））を端末装置２００に送信する（ステップＳ１０２）。次いで、端末装置２００は、基地局１００から送信された測定用信号に基づいて測定を行う（ステップＳ１０４）。次に、端末装置２００は、測定結果を示す情報を含む測定報告を基地局１００に送信する（ステップＳ１０６）。測定報告は、例えばＰＵＣＣＨ（Physical  Uplink  Control  Channel）又はＰＵＳＣＨ（Physical  Uplink  Shared  Channel）を介して送信される。次いで、基地局１００は、測定報告に基づいてスケジューリングを行う（ステップＳ１０８）。このスケジューリングは、少なくともダウンリンクでのデータ信号の送信に関するスケジューリングを含む。次に、基地局１００は、制御情報を端末装置２００に送信する（ステップＳ１１０）。制御情報は、スケジューリング結果を示す情報の他、上述した設定情報の一部又は全部を含み得る。制御情報は、例えばＰＤＣＣＨ（Physical  Downlink  Control  Channel）又はＰＤＳＣＨ（Physical  Downlink  Shared  Channel）を介して送信される。次いで、基地局１００は、設定情報及びスケジューリング結果に基づいてユーザデータを端末装置２００に送信する（ステップＳ１１２）。詳しくは、基地局１００は、データ信号及び参照信号（ＤＭ−ＲＳ）を、設定情報に基づいて各々に異なる通信パラメータセットを適用して生成し、端末装置２００に送信する。データ信号は、例えばＰＤＳＣＨ又はＰＭＣＨ（Physical  Multicast  Channel）を介して送信される。そして、端末装置２００は、設定情報に基づいてユーザデータを受信して、受信応答（ＡＣＫ／ＮＡＣＫ）を基地局１００に送信する（ステップＳ１１４）。受信応答は、例えばＰＵＣＣＨ又はＰＵＳＣＨを介して送信される。
【０１９２】
次いで、図２３を参照して、アップリンクでのデータ信号の送信に関する処理の流れの一例を説明する。
【０１９３】
図２３は、本実施形態に係るシステム１において実行される通信処理の流れの一例を示すシーケンス図である。本シーケンスは、基地局１００及び端末装置２００が関与する。図２３に示すように、まず、基地局１００は、システム情報を端末装置２００に送信する（ステップＳ２００）。システム情報は、上述した設定情報の一部又は全部を含み得る。システム情報は、例えばＰＢＣＨ又はＰＤＳＣＨを介して送信される。次に、基地局１００は、測定用信号を端末装置２００に送信する（ステップＳ２０２）。次いで、端末装置２００は、基地局１００から送信された測定用信号に基づいて測定を行う（ステップＳ２０４）。次に、端末装置２００は、測定結果を示す情報を含む測定報告を基地局１００に送信する（ステップＳ２０６）。測定報告は、例えばＰＵＣＣＨ又はＰＵＳＣＨを介して送信される。次いで、基地局１００は、測定報告に基づいてスケジューリングを行う（ステップＳ２０８）。このスケジューリングは、少なくともアップリンクでのデータ信号の送信に関するスケジューリングを含む。次に、基地局１００は、制御情報を端末装置２００に送信する（ステップＳ２１０）。制御情報は、スケジューリング結果を示す情報の他、上述した設定情報の一部又は全部を含み得る。制御情報は、例えばＰＤＣＣＨ又はＰＤＳＣＨを介して送信される。次いで、端末装置２００は、設定情報及びスケジューリング結果に基づいてユーザデータを基地局１００に送信する（ステップＳ２１２）。詳しくは、基地局１００は、データ信号及び参照信号を、設定情報に基づいて各々に異なる通信パラメータセットを適用して生成し、端末装置２００に送信する。データ信号は、例えばＰＵＳＣＨを介して送信される。そして、基地局１００は、設定情報に基づいてユーザデータを受信して、受信応答（ＡＣＫ／ＮＡＣＫ）を端末装置２００に送信する（ステップＳ２１４）。受信応答は、例えばＰＤＣＣＨを介して送信される。
【０１９４】
次に、図２４を参照して、サイドリンクでのデータ信号の送信に関する処理の流れの一例を説明する。
【０１９５】
図２４は、本実施形態に係るシステム１において実行される通信処理の流れの一例を示すシーケンス図である。本シーケンスは、基地局１００、端末装置２００Ａ及び端末装置２００Ｂが関与する。端末装置２００Ａはサイドリンク送信を行い、端末装置２００Ｂはサイドリンク受信を行う。図２４に示すように、まず、基地局１００は、システム情報を端末装置２００Ａ及び端末装置２００Ｂに送信する（ステップＳ３００）。システム情報は、上述した設定情報の一部又は全部を含み得る。また、システム情報は、サイドリンク通信において使用可能なリソースプールの割り当てを示す情報を含む。システム情報は、例えばＰＢＣＨ又はＰＤＳＣＨを介して送信される。次いで、端末装置２００Ａは、割り当てられたリソースプールからサイドリンク通信に用いるリソースを選択する（ステップＳ３０２）。次に、端末装置２００Ａは、制御情報を端末装置２００Ｂに送信する（ステップＳ３０４）。制御情報は、リソース選択結果を示す情報、及び上述した設定情報の一部又は全部を含み得る。制御情報は、例えばＰＳＣＣＨ（Physical  Sidelink  Control  Channel）又はＰＳＳＣＨ（Physical  Sidelink  Shared  Channel）を介して送信される。次いで、端末装置２００Ａは、設定情報及びリソース選択結果に基づいてユーザデータを端末装置２００Ｂに送信する（ステップＳ３０６）。詳しくは、端末装置２００Ａは、データ信号及び参照信号を、設定情報に基づいて各々に異なる通信パラメータセットを適用して生成し、端末装置２００Ｂに送信する。データ信号は、例えばＰＳＳＣＨを介して送信される。そして、端末装置２００Ｂは、設定情報に基づいてユーザデータを受信して、受信応答（ＡＣＫ／ＮＡＣＫ）を端末装置２００Ａに送信する（ステップＳ３０８）。受信応答は、例えばＰＳＣＣＨ又はＰＳＳＣＨを介して送信される。
【０１９６】
＜＜４．シミュレーション結果＞＞
本技術の効果を、設定計算機シミュレーションで評価した。シミュレーション設定は、下記の表６に示す通りである。
【０１９７】
【表６】
2018196029.tif 000030
【０１９８】
ここで、本シミュレーションにおける比較例１は、波形としてＯＦＤＭを用いる通信方法である。本シミュレーションにおける比較例２は、波形としてＧＦＤＭを用い、データ信号と参照信号とで同一の通信パラメータセットを用いる通信方法である。本シミュレーションにおける本技術は、波形としてＧＦＤＭを用い、データ信号と参照信号とで異なる通信パラメータセットを用いる通信方法である。具体的には、本技術は、参照信号とデータ信号とで、１リソースブロックにおけるサブシンボル数、サンプリングレート、及びサブキャリア間隔を変えている。
【０１９９】
図２５は、シミュレーション結果を示す図である。詳しくは、図２５は、フィルタリングのロールオフ率を変えた場合のチャネル推定誤差の特性を示している。本図の横軸はＳＮ比であり、縦軸はＭＳＥ（Mean  Square  Error、平均二乗誤差）である。図中の「ＯＦＤＭ」は、比較例１に相当する。図中の「Ｃｏｎｖ．  ＧＦＤＭ」は、比較例２に相当し、フィルタリングのロールオフ率α＝０．１又は０．９の場合のシミュレーション結果の各々を示している。図中の「Ｐｒｏｐ．  ＧＦＤＭ」は、本技術に相当し、フィルタリングのロールオフ率α＝０．１又は０．９の場合のシミュレーション結果の各々を示している。
【０２００】
本図によれば、本技術は、ロールオフ率が０．１の場合（即ち、比較的小さい場合）に有効に働くことが分かる。比較例２では雑音が小さい環境（ＳＮ比が大きい）でもチャネル推定誤差のフロアが発生しているのに対して、本技術では比較例１と同等の、即ちサブキャリア間の干渉がない場合と同等のＭＳＥ特性が達成されている。また、本技術では、ロールオフ率が０．９の場合（即ち、比較的大きい場合）でも、比較例２よりも低いＭＳＥ特性が達成されている。ただし、ロールオフ率が０．９の場合、比較例２と同様にＭＳＥ特性のフロアが発生してしまっている。本技術においてこのようなフロアを回避するために、ロールオフ率を許容できる範囲まで小さくすることが望ましい。
【０２０１】
図２６〜図２８は、シミュレーション結果を示す図である。詳しくは、図２６は、ディジタル変調方式をＱＰＳＫとした場合の、フィルタリングのロールオフ率を変えた場合のビット誤り率（ＢＥＲ：Bit  Error  Rate）特性を示している。図２７は、ディジタル変調方式を１６ＱＡＭとした場合の、フィルタリングのロールオフ率を変えた場合のビット誤り率特性を示している。図２８は、ディジタル変調方式を６４ＱＡＭとした場合の、フィルタリングのロールオフ率を変えた場合のビット誤り率特性を示している。図中の「Ｃｏｎｖ．  ＧＦＤＭ」は、比較例２に相当し、フィルタリングのロールオフ率α＝０．１又は０．９の場合のシミュレーション結果の各々を示している。図中の「Ｐｒｏｐ．  ＧＦＤＭ」は、本技術に相当し、フィルタリングのロールオフ率α＝０．１又は０．９の場合のシミュレーション結果の各々を示している。図中の「ＧＦＤＭ  Ｉｄｅａｌ」は、チャネル推定が理想状態で実現できた場合の、フィルタリングのロールオフ率α＝０．１又は０．９の場合のシミュレーション結果の各々を示している。
【０２０２】
図２６〜図２８によれば、ディジタル変調方式の変調レベル（即ち、変調多値数又は変調オーダー）がいずれであっても、本技術は比較例２より良いＢＥＲ特性を達成している。そして、本技術の比較例２とのＢＥＲ特性の差は、ディジタル変調方式の変調レベルが高いほど顕著になっている。例えば、ロールオフ率α＝０．１、ＢＥＲ＝０．０１で比較した場合、本技術の利得は、ＱＰＳＫでは０．３ｄＢ程度、１６ＱＡＭでは０．８ｄＢ程度、６４ＱＡＭでは３．５ｄＢ程度となっている。さらに、６４ＱＡＭの場合には、比較例２ではロールオフ率α＝０．１の場合でもビット誤り特性のフロアが発生しているのに対し、本技術の場合はそのようなフロアが発生していない。
【０２０３】
＜＜５．応用例＞＞
本開示に係る技術は、様々な製品へ応用可能である。例えば、基地局１００は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局１００は、ＮｏｄｅＢ又はＢＴＳ（Base  Transceiver  Station）などの他の種類の基地局として実現されてもよい。基地局１００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局１００として動作してもよい。
【０２０４】
また、例えば、端末装置２００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置２００は、Ｍ２Ｍ（Machine  To  Machine）通信を行う端末（ＭＴＣ（Machine  Type  Communication）端末ともいう）として実現されてもよい。さらに、端末装置２００は、これら端末に搭載される無線通信モジュール（例えば、１つのダイで構成される集積回路モジュール）であってもよい。
【０２０５】
＜５．１．基地局に関する応用例＞
（第１の応用例）
図２９は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０２０６】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図２９に示したように複数のアンテナ８１０を有し、複数のアンテナ８１０は、例えばｅＮＢ８００が使用する複数の周波数帯域にそれぞれ対応してもよい。なお、図２９にはｅＮＢ８００が複数のアンテナ８１０を有する例を示したが、ｅＮＢ８００は単一のアンテナ８１０を有してもよい。
【０２０７】
基地局装置８２０は、コントローラ８２１、メモリ８２２、ネットワークインタフェース８２３及び無線通信インタフェース８２５を備える。
【０２０８】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０２０９】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０２１０】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０２１１】
無線通信インタフェース８２５は、図２９に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図２９に示したように複数のＲＦ回路８２７を含み、複数のＲＦ回路８２７は、例えば複数のアンテナ素子にそれぞれ対応してもよい。なお、図２９には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０２１２】
図２９に示したｅＮＢ８００において、図５等を参照して説明した基地局１００に含まれる１つ以上の構成要素（通知部１５１及び／又は通信制御部１５３）は、無線通信インタフェース８２５において実装されてもよい。あるいは、これらの構成要素の少なくとも一部は、コントローラ８２１において実装されてもよい。一例として、ｅＮＢ８００は、無線通信インタフェース８２５の一部（例えば、ＢＢプロセッサ８２６）若しくは全部、及び／又はコントローラ８２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８００にインストールされ、無線通信インタフェース８２５（例えば、ＢＢプロセッサ８２６）及び／又はコントローラ８２１が当該プログラムを実行してもよい。以上のように、上記１つ以上の構成要素を備える装置としてｅＮＢ８００、基地局装置８２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０２１３】
また、図２９に示したｅＮＢ８００において、図５を参照して説明した無線通信部１２０は、無線通信インタフェース８２５（例えば、ＲＦ回路８２７）において実装されてもよい。また、アンテナ部１１０は、アンテナ８１０において実装されてもよい。また、ネットワーク通信部１３０は、コントローラ８２１及び／又はネットワークインタフェース８２３において実装されてもよい。また、記憶部１４０は、メモリ８２２において実装されてもよい。
【０２１４】
（第２の応用例）
図３０は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０２１５】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図３０に示したように複数のアンテナ８４０を有し、複数のアンテナ８４０は、例えばｅＮＢ８３０が使用する複数の周波数帯域にそれぞれ対応してもよい。なお、図３０にはｅＮＢ８３０が複数のアンテナ８４０を有する例を示したが、ｅＮＢ８３０は単一のアンテナ８４０を有してもよい。
【０２１６】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図２９を参照して説明したコントローラ８２１、メモリ８２２及びネットワークインタフェース８２３と同様のものである。
【０２１７】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図２９を参照して説明したＢＢプロセッサ８２６と同様のものである。無線通信インタフェース８５５は、図３０に示したように複数のＢＢプロセッサ８５６を含み、複数のＢＢプロセッサ８５６は、例えばｅＮＢ８３０が使用する複数の周波数帯域にそれぞれ対応してもよい。なお、図３０には無線通信インタフェース８５５が複数のＢＢプロセッサ８５６を含む例を示したが、無線通信インタフェース８５５は単一のＢＢプロセッサ８５６を含んでもよい。
【０２１８】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０２１９】
また、ＲＲＨ８６０は、接続インタフェース８６１及び無線通信インタフェース８６３を備える。
【０２２０】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０２２１】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図３０に示したように複数のＲＦ回路８６４を含み、複数のＲＦ回路８６４は、例えば複数のアンテナ素子にそれぞれ対応してもよい。なお、図３０には無線通信インタフェース８６３が複数のＲＦ回路８６４を含む例を示したが、無線通信インタフェース８６３は単一のＲＦ回路８６４を含んでもよい。
【０２２２】
図３０に示したｅＮＢ８３０において、図５等を参照して説明した基地局１００に含まれる１つ以上の構成要素（通知部１５１及び／又は通信制御部１５３）は、無線通信インタフェース８５５及び／又は無線通信インタフェース８６３において実装されてもよい。あるいは、これらの構成要素の少なくとも一部は、コントローラ８５１において実装されてもよい。一例として、ｅＮＢ８３０は、無線通信インタフェース８５５の一部（例えば、ＢＢプロセッサ８５６）若しくは全部、及び／又はコントローラ８５１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８３０にインストールされ、無線通信インタフェース８５５（例えば、ＢＢプロセッサ８５６）及び／又はコントローラ８５１が当該プログラムを実行してもよい。以上のように、上記１つ以上の構成要素を備える装置としてｅＮＢ８３０、基地局装置８５０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０２２３】
また、図３０に示したｅＮＢ８３０において、例えば、図５を参照して説明した無線通信部１２０は、無線通信インタフェース８６３（例えば、ＲＦ回路８６４）において実装されてもよい。また、アンテナ部１１０は、アンテナ８４０において実装されてもよい。また、ネットワーク通信部１３０は、コントローラ８５１及び／又はネットワークインタフェース８５３において実装されてもよい。また、記憶部１４０は、メモリ８５２において実装されてもよい。
【０２２４】
＜５．２．端末装置に関する応用例＞
（第１の応用例）
図３１は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０２２５】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０２２６】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０２２７】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図３１に示したように複数のＢＢプロセッサ９１３及び複数のＲＦ回路９１４を含んでもよい。なお、図３１には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０２２８】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０２２９】
アンテナスイッチ９１５の各々は、無線通信インタフェース９１２に含まれる複数の回路（例えば、異なる無線通信方式のための回路）の間でアンテナ９１６の接続先を切り替える。
【０２３０】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図３１に示したように複数のアンテナ９１６を有してもよい。なお、図３１にはスマートフォン９００が複数のアンテナ９１６を有する例を示したが、スマートフォン９００は単一のアンテナ９１６を有してもよい。
【０２３１】
さらに、スマートフォン９００は、無線通信方式ごとにアンテナ９１６を備えてもよい。その場合に、アンテナスイッチ９１５は、スマートフォン９００の構成から省略されてもよい。
【０２３２】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図３１に示したスマートフォン９００の各ブロックへ電力を供給する。補助コントローラ９１９は、例えば、スリープモードにおいて、スマートフォン９００の必要最低限の機能を動作させる。
【０２３３】
図３１に示したスマートフォン９００において、図６等を参照して説明した端末装置２００に含まれる１つ以上の構成要素（取得部２４１及び／又は通信制御部２４３）は、無線通信インタフェース９１２において実装されてもよい。あるいは、これらの構成要素の少なくとも一部は、プロセッサ９０１又は補助コントローラ９１９において実装されてもよい。一例として、スマートフォン９００は、無線通信インタフェース９１２の一部（例えば、ＢＢプロセッサ９１３）若しくは全部、プロセッサ９０１、及び／又は補助コントローラ９１９を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがスマートフォン９００にインストールされ、無線通信インタフェース９１２（例えば、ＢＢプロセッサ９１３）、プロセッサ９０１、及び／又は補助コントローラ９１９が当該プログラムを実行してもよい。以上のように、上記１つ以上の構成要素を備える装置としてスマートフォン９００又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０２３４】
また、図３１に示したスマートフォン９００において、例えば、図６を参照して説明した無線通信部２２０は、無線通信インタフェース９１２（例えば、ＲＦ回路９１４）において実装されてもよい。また、アンテナ部２１０は、アンテナ９１６において実装されてもよい。また、記憶部２３０は、メモリ９０２において実装されてもよい。
【０２３５】
（第２の応用例）
図３２は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０２３６】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０２３７】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０２３８】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０２３９】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図３２に示したように複数のＢＢプロセッサ９３４及び複数のＲＦ回路９３５を含んでもよい。なお、図３２には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０２４０】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０２４１】
アンテナスイッチ９３６の各々は、無線通信インタフェース９３３に含まれる複数の回路（例えば、異なる無線通信方式のための回路）の間でアンテナ９３７の接続先を切り替える。
【０２４２】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図３２に示したように複数のアンテナ９３７を有してもよい。なお、図３２にはカーナビゲーション装置９２０が複数のアンテナ９３７を有する例を示したが、カーナビゲーション装置９２０は単一のアンテナ９３７を有してもよい。
【０２４３】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０２４４】
バッテリー９３８は、図中に破線で部分的に示した給電ラインを介して、図３２に示したカーナビゲーション装置９２０の各ブロックへ電力を供給する。また、バッテリー９３８は、車両側から給電される電力を蓄積する。
【０２４５】
図３２に示したカーナビゲーション装置９２０において、図６等を参照して説明した端末装置２００に含まれる１つ以上の構成要素（取得部２４１及び／又は通信制御部２４３）は、無線通信インタフェース９３３において実装されてもよい。あるいは、これらの構成要素の少なくとも一部は、プロセッサ９２１において実装されてもよい。一例として、カーナビゲーション装置９２０は、無線通信インタフェース９３３の一部（例えば、ＢＢプロセッサ９３４）若しくは全部及び／又はプロセッサ９２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがカーナビゲーション装置９２０にインストールされ、無線通信インタフェース９３３（例えば、ＢＢプロセッサ９３４）及び／又はプロセッサ９２１が当該プログラムを実行してもよい。以上のように、上記１つ以上の構成要素を備える装置としてカーナビゲーション装置９２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０２４６】
また、図３２に示したカーナビゲーション装置９２０において、例えば、図６を参照して説明した無線通信部２２０は、無線通信インタフェース９３３（例えば、ＲＦ回路９３５）において実装されてもよい。また、アンテナ部２１０は、アンテナ９３７において実装されてもよい。また、記憶部２３０は、メモリ９２２において実装されてもよい。
【０２４７】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。車両側モジュール９４２は、車速、エンジン回転数又は故障情報などの車両側データを生成し、生成したデータを車載ネットワーク９４１へ出力する。
【０２４８】
＜＜６．まとめ＞＞
以上、図１〜図３２を参照して、本開示の一実施形態について詳細に説明した。上記説明したように、本実施形態に係る送信装置は、単位リソースにおいて複数の通信パラメータセットを用いて通信可能であって、データ信号と参照信号とで異なる通信パラメータセットを用いて生成したデータ信号及び参照信号を受信装置へ送信する。サブキャリア間隔又はシンボル長が単位リソース内で可変に設定されてリソースの直交性が失われる場合にあっても、データ信号と参照信号とで適用される通信パラメータセットを異ならせることで、参照信号の干渉耐性を高めることができる。これにより、チャネル推定精度を高く保つことが可能となり、受信信号の復調精度及び復号精度の劣化を抑制することが可能となる。
【０２４９】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０２５０】
例えば、上記実施形態では、送信装置が基地局１００であり受信装置が端末装置２００である場合、並びに送信装置及び受信装置が共に端末装置２００である場合について説明したが、本技術はかかる例に限定されない。例えば、送信装置が端末装置２００であり受信装置が基地局１００であってもよい。その場合、例えば、端末装置２００は、アップリンク送信に用いるべき設定情報を基地局１００から受信し、かかる設定情報に基づいて、データ信号と参照信号とで異なる通信パラメータセットを用いた送信処理を行う。他方、基地局１００は、設定情報に基づいて、端末装置２００から送信されたデータ信号及び参照信号の受信処理を行う。
【０２５１】
また、本明細書においてフローチャート及びシーケンス図を用いて説明した処理は、必ずしも図示された順序で実行されなくてもよい。いくつかの処理ステップは、並列的に実行されてもよい。また、追加的な処理ステップが採用されてもよく、一部の処理ステップが省略されてもよい。
【０２５２】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０２５３】
なお、以下のような構成も本開示の技術的範囲に属する。
（１）
単位リソースにおいて複数の通信パラメータセットを用いて通信する送信装置であって、
データ信号と参照信号とで異なる前記通信パラメータセットを用いて生成した前記データ信号及び前記参照信号を受信装置へ送信する処理部、
を備える送信装置。
（２）
前記通信パラメータセットは、プリコーディング、フィルタリング、オーバーサンプリング、波形、リソース設定又は送信電力の少なくともいずれかに関する通信パラメータを含む、前記（１）に記載の送信装置。
（３）
前記処理部は、前記データ信号と前記参照信号とで異なる方式のフィルタを用いる、又は同一の方式のフィルタで異なるフィルタ係数を用いる、前記（２）に記載の送信装置。
（４）
前記処理部は、前記データ信号に帯域制限フィルタを適用し前記参照信号に送信側干渉除去フィルタを適用する、前記（３）に記載の送信装置。
（５）
前記処理部は、前記データ信号へのフィルタリングを行い前記参照信号へのフィルタリングを省略する、前記（３）に記載の送信装置。
（６）
前記処理部は、前記データ信号へのオーバーサンプリングを行い前記参照信号へのオーバーサンプリングを省略する、前記（５）に記載の送信装置。
（７）
前記処理部は、前記データ信号に非直交波形を用い、前記参照信号に直交波形を用いる、前記（２）〜（６）のいずれか一項に記載の送信装置。
（８）
前記処理部は、前記データ信号と前記参照信号とでサブキャリア間隔又はシンボル長の少なくともいずれかを異ならせる、前記（２）〜（７）のいずれか一項に記載の送信装置。
（９）
前記処理部は、前記データ信号と前記参照信号とで送信電力を異ならせる、前記（２）〜（８）のいずれか一項に記載の送信装置。
（１０）
前記処理部は、データ信号及び参照信号の各々に用いられる前記通信パラメータセットを示す情報を前記受信装置に通知する、前記（１）〜（９）のいずれか一項に記載の送信装置。
（１１）
前記単位リソースにおけるリソース設定が異なる第１のリソース及び第２のリソースにおいて、前記第１のリソースに配置される参照信号の周波数間隔と前記第２のリソースに配置される参照信号の周波数間隔との比が、前記第１のリソースと前記第２のリソースとのサブキャリア間隔の比に比例又はほぼ比例する、前記（１）〜（１０）のいずれか一項に記載の送信装置。
（１２）
前記単位リソースにおけるリソース設定が異なる第１のリソース及び第２のリソースにおいて、前記第１のリソースに配置される参照信号の時間間隔と前記第２のリソースに配置される参照信号の時間間隔との比が、前記第１のリソースと前記第２のリソースとのシンボル長の比に比例又はほぼ比例する、前記（１）〜（１１）のいずれか一項に記載の送信装置。
（１３）
前記単位リソースにおけるリソース設定が異なる第１のリソース及び第２のリソースにおいて、前記第１のリソースに配置される参照信号の時間間隔と前記第２のリソースに配置される参照信号の時間間隔との比が、前記第１のリソースと前記第２のリソースとのサブキャリア間隔の比に反比例又はほぼ反比例する、前記（１）〜（１２）のいずれか一項に記載の送信装置。
（１４）
前記単位リソースにおけるリソース設定が異なる第１のリソース及び第２のリソースにおいて、前記第１のリソースに配置される参照信号の周波数間隔及び時間間隔と前記第２のリソースに配置される参照信号の周波数間隔及び時間間隔とが同一又は略同一である、前記（１）〜（１０）のいずれか一項に記載の送信装置。
（１５）
前記処理部は、前記参照信号の配置を示す情報を前記受信装置に通知する、前記（１１）〜（１４）のいずれか一項に記載の送信装置。
（１６）
単位リソースにおいて複数の通信パラメータセットを用いて通信する受信装置であって、
データ信号と参照信号とで異なる前記通信パラメータセットを用いて生成された前記データ信号及び前記参照信号の受信処理を行う処理部、
を備える受信装置。
（１７）
単位リソースにおいて複数の通信パラメータセットを用いて通信する送信装置により実行される方法であって、
データ信号と参照信号とで異なる前記通信パラメータセットを用いて生成した前記データ信号及び前記参照信号を受信装置へ送信すること、
を含む方法。
（１８）
単位リソースにおいて複数の通信パラメータセットを用いて通信する受信装置により実行される方法であって、
データ信号と参照信号とで異なる前記通信パラメータセットを用いて生成された前記データ信号及び前記参照信号の受信処理を行うこと、
を含む方法。
（１９）
コンピュータを、
単位リソースにおいて複数の通信パラメータセットを用いて通信させ、
データ信号と参照信号とで異なる前記通信パラメータセットを用いて生成した前記データ信号及び前記参照信号を受信装置へ送信する処理部、
として機能させるためのプログラムを記録した記録媒体。
（２０）
コンピュータを、
単位リソースにおいて複数の通信パラメータセットを用いて通信させ、
データ信号と参照信号とで異なる前記通信パラメータセットを用いて生成された前記データ信号及び前記参照信号の受信処理を行う処理部、
として機能させるためのプログラムを記録した記録媒体。
【符号の説明】
【０２５４】
１    システム
１０    セル
１００    基地局
１１０    アンテナ部
１２０    無線通信部
１３０    ネットワーク通信部
１４０    記憶部
１５０    処理部
１５１    通知部
１５３    通信制御部
１８０    帯域幅
２００    端末装置
２１０    アンテナ部
２２０    無線通信部
２３０    記憶部
２４０    処理部
２４１    取得部
２４３    通信制御部
【図１】
2018196029.tif 000031
【図２】
2018196029.tif 000032
【図３】
2018196029.tif 000033
【図４】
2018196029.tif 000034
【図５】
2018196029.tif 000035
【図６】
2018196029.tif 000036
【図７】
2018196029.tif 000037
【図８】
2018196029.tif 000038
【図９】
2018196029.tif 000039
【図１０】
2018196029.tif 000040
【図１１】
2018196029.tif 000041
【図１２】
2018196029.tif 000042
【図１３】
2018196029.tif 000043
【図１４】
2018196029.tif 000044
【図１５】
2018196029.tif 000045
【図１６】
2018196029.tif 000046
【図１７】
2018196029.tif 000047
【図１８】
2018196029.tif 000048
【図１９】
2018196029.tif 000049
【図２０】
2018196029.tif 000050
【図２１】
2018196029.tif 000051
【図２２】
2018196029.tif 000052
【図２３】
2018196029.tif 000053
【図２４】
2018196029.tif 000054
【図２５】
2018196029.tif 000055
【図２６】
2018196029.tif 000056
【図２７】
2018196029.tif 000057
【図２８】
2018196029.tif 000058
【図２９】
2018196029.tif 000059
【図３０】
2018196029.tif 000060
【図３１】
2018196029.tif 000061
【図３２】
2018196029.tif 000062